(57)【要約】  ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器より供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）から目標上限組成（ｘ）−４．０質量％（目標下限組成）の範囲に収めるため、移充填直前の、前記供給用容器内の前記混合冷媒のＨＦＯ−１１２３の液相混合比（初期組成）を、ｘ＋ｙＰ（最小値）〜ｘ％（目標上限組成）にする。【特許請求の範囲】
【請求項１】
トリフルオロエチレン及びジフルオロメタンを含み、トリフルオロエチレン及びジフルオロメタンの合計１００質量％に対し液相においてトリフルオロエチレンが１０〜９２質量％の量で存在する混合冷媒を、供給用容器より供給先の容器及び機器へ液で移充填する際に、
移充填開始から完了までの、前記供給用容器内の前記混合冷媒中のトリフルオロエチレンの液相混合比を、トリフルオロエチレンの目標上限組成（ｘ）から目標上限組成（ｘ）−４．０質量％（目標下限組成）の範囲に収めるため、
移充填直前の、前記供給用容器内の前記混合冷媒のトリフルオロエチレンの液相混合比（初期組成）を、ｘ＋ｙＰ（最小値）〜ｘ％（目標上限組成）にすることを特徴とする、混合冷媒の充填方法。
ａ：供給用容器における初期充填量（質量％）
ｘ：目標上限組成である（１０≦ｘ≦９２、ただしｙＰ＞０となる範囲を除く）。
ｙＰ：初期組成における目標上限組成とのずれの下限値で、次の式（Ａ）で表される値である。
【数１】
2017126446.tif 000074
【請求項２】
トリフルオロエチレン及びジフルオロメタンを含み、トリフルオロエチレン及びジフルオロメタンの合計１００質量％に対し液相においてトリフルオロエチレンが１０〜９１．５質量％の量で存在する混合冷媒を、供給用容器より供給先の容器及び機器へ液で移充填する際に、
移充填開始から完了までの、前記供給用容器内の前記混合冷媒中のトリフルオロエチレンの液相混合比を、トリフルオロエチレンの目標上限組成（ｘ）から目標上限組成（ｘ）−３．０質量％（目標下限組成）の範囲に収めるため、
移充填直前の、前記供給用容器内の前記混合冷媒のトリフルオロエチレンの液相混合比（初期組成）を、ｘ＋ｙＱ（最小値）〜ｘ％（目標上限組成）にすることを特徴とする、混合冷媒の充填方法。
ａ：供給用容器における初期充填量（質量％）
ｘ：目標上限組成である（１０≦ｘ≦９１．５、ただしｙＱ＞０となる範囲を除く）。
ｙＱ：初期組成における目標上限組成とのずれの下限値で、次の式（Ｂ）で表される値である。
【数２】
2017126446.tif 000075
【請求項３】
トリフルオロエチレン及びジフルオロメタンを含み、トリフルオロエチレン及びジフルオロメタンの合計１００質量％に対し液相においてトリフルオロエチレンが１０〜９１質量％の量で存在する混合冷媒を、供給用容器より供給先の容器及び機器へ液で移充填する際に、
移充填開始から完了までの、前記供給用容器内の前記混合冷媒中のトリフルオロエチレンの液相混合比を、トリフルオロエチレンの目標上限組成（ｘ）から目標上限組成（ｘ）−２．０質量％（目標下限組成）の範囲に収めるため、
移充填直前の、前記供給用容器内の前記混合冷媒のトリフルオロエチレンの液相混合比（初期組成）を、ｘ＋ｙＲ（最小値）〜ｘ％（目標上限組成）にすることを特徴とする、混合冷媒の充填方法。
ａ：供給用容器における初期充填量（質量％）
ｘ：目標上限組成である（１０≦ｘ≦９１、ただしｙＲ＞０となる範囲を除く）。
ｙＲ：初期組成における目標上限組成とのずれの下限値で、次の式（Ｃ）で表される値である。
【数３】
2017126446.tif 000076
【請求項４】
前記混合冷媒が２，３，３，３−テトラフルオロエチレンを１〜５０質量％含むことを特徴とする請求項１〜３のいずれか１項に記載の混合冷媒の充填方法。
【発明の詳細な説明】
【技術分野】
【０００１】
本発明は、トリフルオロエチレンを含む混合冷媒の充填方法に関する。
【背景技術】
【０００２】
従来から、冷凍機用冷媒、空調機器用冷媒、発電システム（廃熱回収発電等）用作動媒体、潜熱輸送装置（ヒートパイプ等）用作動媒体、二次冷却媒体等の熱サイクル用の作動媒体としては、クロロトリフルオロメタン、ジクロロジフルオロメタン等のクロロフルオロカーボン（ＣＦＣ）、クロロジフルオロメタン等のヒドロクロロフルオロカーボン（ＨＣＦＣ）が用いられてきた。しかし、ＣＦＣおよびＨＣＦＣは、成層圏のオゾン層への影響が指摘され、現在、規制の対象となっている。【０００３】
かかる経緯から、熱サイクル用作動媒体としては、ＣＦＣやＨＣＦＣに代えて、オゾン層への影響が少ない、ジフルオロメタン（ＨＦＣ−３２）、テトラフルオロエタン、ペンタフルオロエタン（ＨＦＣ−１２５）等のヒドロフルオロカーボン（ＨＦＣ）が用いられるようになった。例えば、Ｒ４１０Ａ（ＨＦＣ−３２とＨＦＣ−１２５との質量比１：１の擬似共沸混合冷媒）等は従来から広く使用されてきた冷媒である。しかし、ＨＦＣは、地球温暖化の原因となる可能性が指摘されている。【０００４】
Ｒ４１０Ａは、冷凍能力の高さからいわゆるパッケージエアコンやルームエアコンと言われる通常の空調機器等に広く用いられてきた。しかし、地球温暖化係数（ＧＷＰ）が２０８８と高く、そのため低ＧＷＰ作動媒体の開発が求められている。【０００５】
そこで最近では、炭素−炭素二重結合を有しその結合が大気中のＯＨラジカルによって分解されやすいことから、オゾン層への影響が少なく、かつ地球温暖化への影響が少ない作動媒体である、ヒドロフルオロオレフィン（ＨＦＯ）、すなわち炭素−炭素二重結合を有するＨＦＣに期待が集まっている。【０００６】
本明細書においては、特に断りのない限り飽和のＨＦＣをＨＦＣといい、ＨＦＯとは区別して用いる。また、ＨＦＣを飽和のヒドロフルオロカーボンのように明記する場合もある。さらに、ＨＦＣやＨＦＯのハロゲン化炭化水素については、化合物名の後の括弧内にその化合物の略称を記すが、本明細書では必要に応じて化合物名に代えてその略称を用いる。【０００７】
このＨＦＯを用いた作動媒体として、例えば、特許文献１には上記特性を有するとともに、優れたサイクル性能が得られるトリフルオロエチレン（ＨＦＯ−１１２３）を用いた作動媒体に係る技術が開示されている。特許文献１においては、さらに、該作動媒体の不燃性、サイクル性能等を高める目的で、ＨＦＯ−１１２３に、各種ＨＦＣを組み合わせて作動媒体とする試みもされている。【０００８】
また、ＨＦＯやＨＦＣなどは、単独で用いた場合に高温または高圧下で着火源があると、自己分解する反応性冷媒であることが知られている。そこで、非特許文献１には、例えばトリフルオロエチレン（ＨＦＯ−１１２３）等を、他の成分、例えばフッ化ビニリデン等と混合し、ＨＦＯ−１１２３の含有量を抑えた混合物とすることで自己分解反応を抑える試みが報告されている。【０００９】
また、特許文献２には、ＨＦＯ−１１２３を単独冷媒として熱サイクルシステムに用いる他、ＨＦＯ−１１２３とＨＦＣ−３２、又はＨＦＯ−１１２３とＨＦＯ−１２３４ｙｆの混合冷媒として用いることが提案されている。
【先行技術文献】
【特許文献】
【００１０】
【特許文献１】国際公開第２０１２／１５７７６４号
【特許文献２】国際公開第２０１５／１３６７０３号
【特許文献３】日本国特開平１０−１９７１０８号公報
【特許文献４】日本国特許第３１８６０６５号
【特許文献５】国際公開第２０１５／１３３５４８号
【非特許文献】
【００１１】
【非特許文献１】Ｃｏｍｂｕｓｉｏｎ，  Ｅｘｐｌｏｓｉｏｎ，  ａｎｄ  Ｓｈｏｃｋ  Ｗａｖｅｓ，  Ｖｏｌ．  ４２，  Ｎｏ  ２，  ｐｐ．  １４０−１４３，  ２００６
【発明の概要】
【発明が解決しようとする課題】
【００１２】
しかしながら、ＨＦＯとＨＦＣとの混合物の多くは、非共沸混合物であるがゆえに、蒸発・凝縮のように相変化する場合は組成変動が生じる。これは、低沸点の成分が蒸発し易く、高沸点の成分が凝縮し易いためである。この傾向は蒸発、即ち液から蒸気への相変化の場合に大きく、特に混合物の構成成分の沸点差が大きいほど著しい。従って、このような非共沸混合物を容器から別の容器に移す場合には、相変化を伴わないように液側から抜き出すのが普通である。【００１３】
ところが、特許文献３、４に記載されているように、液側から抜き出す場合でも混合物の構成成分の沸点差が大きいと、数質量％の組成変化を生じてしまう。これは、抜き出しによる圧力減少や気相部空間の増加により、液相中の低沸点成分の蒸発を生じるからである。この数質量％の組成変化は、冷媒性能に大きな変化を生じ能力や効率の低下を及ぼすだけでなく、燃焼性などの冷媒の安全性にも大きな影響を与える。【００１４】
特に、ＨＦＯ−１１２３との混合冷媒として使用する可能性の高いＨＦＣ−３２（ジフルオロメタン）は非常に冷凍能力が高いものの、ＨＦＯ−１１２３との沸点差は約５℃あるので、ボンベやタンクローリー等供給側容器から冷凍空調機器や他のボンベへ移充填する際に組成変化が生じるおそれがある。また、性能面だけでなく混合冷媒の品質保証という点においても、その混合冷媒の設定公差内に組成変化を収めることは重要である。【００１５】
例えば、このような組成変化が生じると、狙いの組成で見込んでいた冷凍能力及びＣＯＰ等の冷媒能力が保証できなくなってしまう。そのため、この組成変動率を出来るだけ小さく収める事が重要となってくる。【００１６】
例えば、特許文献５には、トランス−１，３，３，３−テトラフルオロプロペンを含む混合冷媒の組成変化を許容範囲内に収めることを目的とした充填方法が記載されている。【００１７】
しかしながら、組成変動は非共沸冷媒の種類や組成比によって大きく異なり、全くの実測無しにその組成変動幅をあらかじめ予想することは困難である。【００１８】
そこで、本発明は、ＨＦＯ−１１２３及びＨＦＣ−３２からなる非共沸混合冷媒の移充填時の組成変化を、冷媒性能の許容範囲内に収めることの出来る混合冷媒の充填方法を提供することを目的とする。
【課題を解決するための手段】
【００１９】
上記目的を達成するため、本発明の一態様に係る混合冷媒の充填方法は、トリフルオロエチレン及びジフルオロメタンを含み、トリフルオロエチレン及びジフルオロメタンの合計１００質量％に対し液相においてトリフルオロエチレンが１０〜９２質量％の量で存在する混合冷媒を、供給用容器より供給先の容器及び機器へ液で移充填する際に、
移充填開始から完了までの、前記供給用容器内の前記混合冷媒中のトリフルオロエチレンの液相混合比を、トリフルオロエチレンの目標上限組成（ｘ）から目標上限組成（ｘ）−４．０質量％（目標下限組成）の範囲に収めるため、
移充填直前の、前記供給用容器内の前記混合冷媒のトリフルオロエチレンの液相混合比（初期組成）を、ｘ＋ｙＰ（最小値）〜ｘ％（目標上限組成）にすることを特徴とする。【００２０】
ａ：供給用容器における初期充填量（質量％）
ｘ：目標上限組成である（１０≦ｘ≦９２、ただしｙＰ＞０となる範囲を除く）。【００２１】
ｙＰ：初期組成における目標上限組成とのずれの下限値で、次の式（Ａ）で表される値である。【００２２】
【数１】
2017126446.tif 000002
本発明の他の態様に係る混合冷媒の充填方法は、トリフルオロエチレン及びジフルオロメタンを含み、トリフルオロエチレン及びジフルオロメタンの合計１００質量％に対し液相においてトリフルオロエチレンが１０〜９１．５質量％の量で存在する混合冷媒を、供給用容器より供給先の容器及び機器へ液で移充填する際に、
移充填開始から完了までの、前記供給用容器内の前記混合冷媒中のトリフルオロエチレンの液相混合比を、トリフルオロエチレンの目標上限組成（ｘ）から目標上限組成（ｘ）−３．０質量％（目標下限組成）の範囲に収めるため、
移充填直前の、前記供給用容器内の前記混合冷媒のトリフルオロエチレンの液相混合比（初期組成）を、ｘ＋ｙＱ（最小値）〜ｘ％（目標上限組成）にすることを特徴とする。【００２３】
ａ：供給用容器における初期充填量（質量％）
ｘ：目標上限組成である（１０≦ｘ≦９１．５、ただしｙＱ＞０となる範囲を除く）。【００２４】
ｙＱ：初期組成における目標上限組成とのずれの下限値で、次の式（Ｂ）で表される値である。【００２５】
【数２】
2017126446.tif 000003
本発明の他の態様に係る混合冷媒の充填方法は、トリフルオロエチレン及びジフルオロメタンを含み、トリフルオロエチレン及びジフルオロメタンの合計１００質量％に対し液相においてトリフルオロエチレンが１０〜９１質量％の量で存在する混合冷媒を、供給用容器より供給先の容器及び機器へ液で移充填する際に、
移充填開始から完了までの、前記供給用容器内の前記混合冷媒中のトリフルオロエチレンの液相混合比を、トリフルオロエチレンの目標上限組成（ｘ）から目標上限組成（ｘ）−２．０質量％（目標下限組成）の範囲に収めるため、
移充填直前の、前記供給用容器内の前記混合冷媒のトリフルオロエチレンの液相混合比（初期組成）を、ｘ＋ｙＲ（最小値）〜ｘ％（目標上限組成）にすることを特徴とする。【００２６】
ａ：供給用容器における初期充填量（質量％）
ｘ：目標上限組成である（１０≦ｘ≦９１、ただしｙＲ＞０となる範囲を除く）。【００２７】
ｙＲ：初期組成における目標上限組成とのずれの下限値で、次の式（Ｃ）で表される値である。【００２８】
【数３】
2017126446.tif 000004
【発明の効果】
【００２９】
本発明によれば、ＨＦＯ−１１２３及びＨＦＣ−３２からなる非共沸混合冷媒の移充填時の組成変化を、冷媒性能の許容範囲内に収めることができる。
【発明を実施するための形態】
【００３０】
以下、本発明を実施するための形態の説明を行う。
【００３１】
本発明者らは、密閉容器に貯蔵された２種の沸点の異なる液化ガスよりなる非共沸混合物を液側から別の容器に移充填する際に生じる組成変化の問題を解決するために液化ガスの充填方法について鋭意検討を加えた。
【００３２】
即ち、本発明は、下記のＨＦＯ−１１２３及びＨＦＣ−３２からなる非共沸混合冷媒の充填方法を提供するものである。
【００３３】
本発明の混合冷媒の充填方法は、非共沸冷媒であるＨＦＯ−１１２３／ＨＦＣ−３２混合冷媒において、その組成が液相においてＨＦＯ−１１２３：１０〜９２質量％のものを、供給用容器より供給先の容器及び機器へ移充填する際に、移充填する前の、供給用容器内のＨＦＯ−１１２３の液相混合比を特定の範囲に設定することを特徴とする。
【００３４】
容器への混合冷媒の充填を最大（充填量１００質量％）とする場合の、供給用容器より、供給先の容器及び機器へ混合冷媒の移充填を実施する際に、移充填を実施する前の供給用容器内における混合冷媒の混合比について説明する。
【００３５】
前記充填量１００質量％とは、輸送に関する国際法や日本の高圧ガス保安法で定められている、容器に充填できる最大の充填量のことを示す。日本の高圧ガス保安法では以下の様に算出する。
・Ｇ＝Ｖ／Ｃ
・Ｇ：フルオロカーボンの質量（ｋｇ）
・Ｖ：容器の内容積（Ｌ）
・Ｃ：フルオロカーボンの種類による定数
この際の充填定数Ｃは日本国内では、１．０５を４８℃における当該ガスの比重で除した値と定められている。また、この充填定数Ｃは、輸出を伴う際は国際法により、熱帯地方を通過する際は、１．０５を６５℃における当該ガスの比重で除した値、熱帯以外のその他の地方のみでは、１．０５を４５℃における当該ガスの比重で除した値と定められている。
【００３６】
ＨＦＯ−１１２３／ＨＦＣ−３２混合冷媒を、供給用容器より供給先の容器及び機器へ移充填する際に、供給用容器の初期充填量が少ない方が、移充填開始から完了までの、前記供給用容器内の前記混合冷媒中のＨＦＯ−１１２３の液相混合比の組成変化は小さくなる。
【００３７】
以下、１．０５を４５℃における当該ガスの比重で除した値、を充填定数として採用し、算出した値を充填量１００％としている。
【００３８】
以下、目標上限組成と目標下限組成との差の質量％に応じて、具体的な充填方法の実施形態について説明する。
【００３９】
（１）目標上限組成と目標下限組成との差が４質量％である場合の充填方法
供給用容器より供給先の容器及び機器へ混合冷媒を移充填する時に、移充填開始から完了までの、供給用容器内における混合冷媒中のＨＦＯ−１１２３の液相混合比を、ＨＦＯ−１１２３の目標上限組成（ｘ）から目標上限組成（ｘ）−４．０質量％（目標下限組成）の範囲に収めるための、移充填を実施する前の供給用容器内における混合冷媒の混合比について説明する。
【００４０】
前記「目標上限組成：（ｘ）」は、供給先の容器・機器において求められる、ＨＦＯ−１１２３／ＨＦＣ−３２混合冷媒の全体組成（液相＋気相）におけるＨＦＯ−１１２３の組成が、この範囲内にあることを許容される、最大値である。ｘ（質量％）は、１０≦ｘ≦９２の範囲内の数値である。前記「目標下限組成：（ｘ）−４質量％」とは、供給先の容器・機器において求められる、ＨＦＯ−１１２３／ＨＦＣ−３２混合冷媒の全体組成（液相＋気相）におけるＨＦＯ−１１２３の組成が、この範囲内にあることを許容される最小値である。
【００４１】
（１−１）目標上限組成と目標下限組成との差が４質量％である場合の充填方法
容器への混合冷媒の充填量が適宜調節される場合の、本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器より、供給先の容器及び機器へ液で移充填を実施する際に、移充填開始から完了までの前記供給用容器内における前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填を実施する直前の前記供給用容器内における前記混合冷媒のＨＦＯ−１１２３の液相混合比（初期組成）を、ｘ＋ｙＰ（最小値）〜ｘ％（目標上限組成）にすることを特徴とする。
【００４２】
ａ：供給用容器における初期充填量（質量％）
ｘ：目標上限組成である（質量％、１０≦ｘ≦９２、ただしｙＰ＞０となる範囲を除く）。
【００４３】
ｙＰ：初期組成における目標上限組成とのずれの下限値で、次の式（１）で表される値である。
【００４４】
【数４】
2017126446.tif 000005
本発明の混合冷媒の充填方法によれば、供給用容器の混合冷媒の充填量が最大充填量の１００質量％であっても、移充填を実施する前の、供給用容器内におけるＨＦＯ−１１２３の液相混合比を特定の範囲に設定することで、供給先の容器及び機器内での組成変化を、移充填が完了するまで、目標上限組成（ｘ）−４．０質量％（目標下限組成）から目標上限組成（ｘ）の範囲に収める事ができる。
【００４５】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標とする組成より多く充填することが好ましい。
【００４６】
また、前記ａの値は、通常６０≦ａ≦１００の範囲に設定される。
【００４７】
以下、移充填方法の一例として移充填時の取扱い温度が４０℃のときを示す。例えば日本の高圧ガス保安法においては、４０℃以上での容器の取り扱いを禁じていることから、日本における移充填時の取扱い温度は０〜４０℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度４０℃時における移充填の条件を応用することで、取扱い温度０〜４０℃についても適用可能である。
【００４８】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がａ質量％である充填方法を満たす数式は、初期充填量がａ質量％以下である充填方法においても満たされる。例えば、初期充填量が１００質量％である充填方法を満たす数式は、初期充填量が１００〜０質量％である充填方法においても満たされる。初期充填量が９０質量％である充填方法を満たす数式は、初期充填量が９０〜０質量％である充填方法においても満たされる。初期充填量が８０質量％である充填方法を満たす数式は、初期充填量が８０〜０質量％である充填方法においても満たされる。初期充填量が７０質量％である充填方法を満たす数式は、初期充填量が７０〜０質量％である充填方法においても満たされる。初期充填量が６０質量％である充填方法を満たす数式は、初期充填量が６０〜０質量％である充填方法においても満たされる。
【００４９】
供給用容器内の混合冷媒中のＨＦＯ−１１２３の液相混合比
本発明は、ＨＦＯ−１１２３の目標上限組成（ｘ）−４．０質量％（目標下限組成）から目標上限組成（ｘ）の範囲に収めるため、移充填直前の、供給用容器内における混合冷媒のＨＦＯ−１１２３の液相混合比（初期組成）を、ｘ＋ｙＰ（最小値）〜ｘ％（目標上限組成）にすることが特徴である。
【００５０】
ｘは目標上限組成であり、ｙＰは初期組成における目標上限組成（ｘ）とのずれを示す。ｘ＋ｙ１は、供給用容器内の混合冷媒のＨＦＯ−１１２３の液相混合比（初期組成）の最小値を示す。
【００５１】
前記目標上限組成と目標下限組成との差は公差（Ｃｏｍｐｏｓｉｔｉｏｎ  Ｔｏｌｅｒａｎｃｅｓ）と呼ばれる。公差は、混合冷媒の組成がＡＳＨＲＡＥ規格２０１３（Ｄｅｓｉｇｎａｔｉｏｎ  ａｎｄ  Ｓａｆｅｔｙ  Ｃｌａｓｓｉｆｉｃａｔｉｏｎ  ｏｆ  Ｒｅｆｒｉｇｅｒａｎｔｓ）等に登録された際に決まるものである。
【００５２】
ＨＦＯ−１１２３及びＨＦＣ−３２を含む混合冷媒において、ＨＦＯ−１１２３とＨＦＣ−３２との混合比が、例えば５０：５０（質量％）である場合を説明する。この混合冷媒（ＨＦＯ−１１２３／ＨＦＣ−３２）において、公差が例えば＋２．０、−２．０／＋２．０、−２．０と設定された場合、ＨＦＯ−１１２３の目標上限組成は５２．０質量％となり、ＨＦＯ−１１２３の目標下限組成は４８．０質量％となる。目標上限組成と目標下限組成との差が４質量％という混合冷媒になる。
【００５３】
（１−２）容器への混合冷媒の充填量が最大充填量の１００質量％の場合の充填方法
容器への混合冷媒の充填量が最大充填量の１００質量％であって、供給用容器内の前記混合冷媒中のＨＦＯ−１１２３の液相混合比を、目標上限組成（ｘ）−４．０質量％（目標下限組成）から目標上限組成（ｘ）の範囲に収めるときを説明する。
【００５４】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器に最大充填量の１００質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填直前の、前記供給用容器内における前記混合冷媒のＨＦＯ−１１２３の液相混合比（初期組成）を、ｘ＋ｙＰ１  （最小値）〜ｘ％（目標上限組成）にすることが好ましい。
【００５５】
前記ｘは、目標上限組成である（但し、１０≦ｘ≦９２を満たす）。
【００５６】
ｙＰ１は、初期組成における目標上限組成とのずれの下限値で、次の式（２）で表される値である。
【００５７】
【数５】
2017126446.tif 000006
本発明は、上記式（２）から、ＨＦＯ−１１２３／ＨＦＣ−３２混合冷媒を、供給用容器より供給先の容器及び機器へ移充填を実施する際に、移充填を実施する前の供給用容器内のＨＦＯ−１１２３の液相混合比を、ｘ−３．８質量％程度〜ｘ質量％にすることで、供給先の容器及び機器内での組成変化を、移充填が完了するまで、目標上限組成（ｘ）−４．０質量％（目標下限組成）から目標上限組成（ｘ）の範囲に収める事ができる。
【００５８】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−４．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【００５９】
また、ＨＦＯ−１１２３が９２質量％含まれる場合、組成変化が小さいことから、ＨＦＯ−１１２３の初期組成が、目標上限組成に対して、−３．８質量％程度であったとしても、移充填が完了するまで、ＨＦＯ−１１２３の液相混合比を目標上限組成（ｘ）−４．０質量％（目標下限組成）から目標上限組成（ｘ）の範囲に収めることができる。
【００６０】
（１−３）容器への混合冷媒の充填量が最大充填量の９０質量％の場合の充填方法
容器への混合冷媒の充填量が最大充填量の９０質量％であって、供給用容器内における前記混合冷媒中のＨＦＯ−１１２３の液相混合比を、目標上限組成（ｘ）−４．０質量％（目標下限組成）から目標上限組成（ｘ）の範囲に収めるときを説明する。
【００６１】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器に最大充填量の９２質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＰ２〜ｘ質量％にすることが好ましい。
【００６２】
前記ｘは、目標上限組成である（但し、１０≦ｘ≦９２を満たす）。
【００６３】
ｙＰ２は、初期組成における目標上限組成とのずれの下限値で、次の式（３）で表される値である。
【００６４】
【数６】
2017126446.tif 000007
本発明は、上記式（３）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−３．８質量％程度〜ｘ質量％にすることで、供給先の容器及び機器内での組成変化を、移充填が完了するまで、目標上限組成（ｘ）−４．０質量％（目標下限組成）から目標上限組成（ｘ）の範囲に収める事ができる。
【００６５】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−４．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【００６６】
また、ＨＦＯ−１１２３が９２質量％含まれる場合、組成変化が小さいことから、ＨＦＯ−１１２３の初期組成が、目標上限組成に対して、−３．８質量％程度であったとしても、移充填が完了するまで、ＨＦＯ−１１２３の液相混合比を目標上限組成（ｘ）−４．０質量％（目標下限組成）から目標上限組成（ｘ）の範囲に収めることができる。
【００６７】
（１−４）容器への混合冷媒の充填量が最大充填量の８０質量％の場合の充填方法
容器への混合冷媒の充填量が最大充填量の８０質量％であって、供給用容器内の前記混合冷媒中のＨＦＯ−１１２３の液相混合比を、目標上限組成（ｘ）−４．０質量％（目標下限組成）から目標上限組成（ｘ）の範囲に収めるときを説明する。
【００６８】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器に最大充填量の８０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＰ３〜ｘ質量％にすることが好ましい。
【００６９】
前記ｘは、目標上限組成である（但し、１０≦ｘ≦９２を満たす）。
【００７０】
ｙＰ３は、初期組成における目標上限組成とのずれの下限値で、次の式（４）で表される値である。
【００７１】
【数７】
2017126446.tif 000008
本発明は、上記式（４）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−３．８質量％程度〜ｘ質量％にすることで、供給先の容器及び機器内での組成変化を、移充填が完了するまで、目標上限組成（ｘ）−４．０質量％（目標下限組成）から目標上限組成（ｘ）の範囲に収める事ができる。
【００７２】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−４．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【００７３】
また、ＨＦＯ−１１２３が９２質量％含まれる場合、組成変化が小さいことから、ＨＦＯ−１１２３の初期組成が、目標上限組成に対して、−３．８質量％程度であったとしても、移充填が完了するまで、ＨＦＯ−１１２３の液相混合比を目標上限組成（ｘ）−４．０質量％（目標下限組成）から目標上限組成（ｘ）の範囲に収めることができる。
【００７４】
（１−５）容器への混合冷媒の充填量が最大充填量の７０質量％の場合の充填方法
容器への混合冷媒の充填量が最大充填量の７０質量％であって、供給用容器内の前記混合冷媒中のＨＦＯ−１１２３の液相混合比を、目標上限組成（ｘ）−４．０質量％（目標下限組成）から目標上限組成（ｘ）の範囲に収めるときを説明する。
【００７５】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器に最大充填量の７０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＰ４〜ｘ質量％にすることが好ましい。
【００７６】
前記ｘは、目標上限組成である（但し、１０≦ｘ≦９２を満たす）。
【００７７】
ｙＰ４は、初期組成における目標上限組成とのずれの下限値で、次の式（５）で表される値である。
【００７８】
【数８】
2017126446.tif 000009
本発明は、上記式（５）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−３．８質量％程度〜ｘ質量％にすることで、供給先の容器及び機器内での組成変化を、移充填が完了するまで、目標上限組成（ｘ）−４．０質量％（目標下限組成）から目標上限組成（ｘ）の範囲に収める事ができる。
【００７９】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−４．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【００８０】
また、ＨＦＯ−１１２３が９２質量％含まれる場合、組成変化が小さいことから、ＨＦＯ−１１２３の初期組成が、目標上限組成に対して、−３．８質量％程度であったとしても、移充填が完了するまで、ＨＦＯ−１１２３の液相混合比を目標上限組成（ｘ）−４．０質量％（目標下限組成）から目標上限組成（ｘ）の範囲に収めることができる。
【００８１】
（１−６）容器への混合冷媒の充填量が最大充填量の６０質量％の場合の充填方法
容器への混合冷媒の充填量が最大充填量の６０質量％であって、供給用容器内の前記混合冷媒中のＨＦＯ−１１２３の液相混合比を、目標上限組成（ｘ）−４．０質量％（目標下限組成）から目標上限組成（ｘ）の範囲に収めるときを説明する。
【００８２】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器に最大充填量の６０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＰ５〜ｘ質量％にすることが好ましい。
【００８３】
前記ｘは、目標上限組成である（但し、１０≦ｘ≦９２を満たす）。
【００８４】
ｙＰ５は、初期組成における目標上限組成とのずれの下限値で、次の式（６）で表される値である。
【００８５】
【数９】
2017126446.tif 000010
本発明は、上記式（６）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−３．８質量％程度〜ｘ質量％にすることで、供給先の容器及び機器内での組成変化を、移充填が完了するまで、目標上限組成（ｘ）−４．０質量％（目標下限組成）から目標上限組成（ｘ）の範囲に収める事ができる。
【００８６】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−４．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【００８７】
また、ＨＦＯ−１１２３が９２質量％含まれる場合、組成変化が小さいことから、ＨＦＯ−１１２３の初期組成が、目標上限組成に対して、−３．８質量％程度であったとしても、移充填が完了するまで、ＨＦＯ−１１２３の液相混合比を目標上限組成（ｘ）−４．０質量％（目標下限組成）から目標上限組成（ｘ）の範囲に収めることができる。
【００８８】
（１−７）ＨＦＯ−１１２３及びＨＦＣ−３２を含む非共沸混合冷媒の充填方法
ＨＦＯ−１１２３及びＨＦＣ−３２からなる非共沸混合冷媒の、ＨＦＯ−１１２３の目標上限組成（ｘ）−４．０質量％（目標下限組成）から目標上限組成（ｘ）の範囲に収める充填方法について説明する。
【００８９】
上記式（１）は、上記式（２）〜（６）から導き出すことができる。上記式（２）〜（６）の各係数の値を基に、目標上限組成（ｘ）から、初期充填量（ａ質量％）に対して式（１）のＬＰ〜ＰＰを導き出すことができる。
【００９０】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器より供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−４．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＰ（最小値）〜ｘ（最大値）質量％にすることを特徴とする。
【００９１】
ａ：供給用容器における初期充填量（質量％）
ｘ：目標上限組成である（質量％、１０≦ｘ≦９２、ただしｙＰ＞０となる範囲を除く）。
【００９２】
ｙＰ：初期組成における目標上限組成とのずれの下限値で、次の式（１）で表される値である。
【００９３】
【数１０】
2017126446.tif 000011
（２）目標上限組成と目標下限組成との差が３質量％である場合の充填方法
供給用容器より供給先の容器及び機器へ混合冷媒を移充填する時に、移充填開始から完了までの、供給用容器内の混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるための、移充填する前の供給用容器内の混合冷媒の混合比について説明する。
【００９４】
前記「目標上限組成：（ｘ）」は、供給先の容器・機器において求められる、ＨＦＯ−１１２３／ＨＦＣ−３２混合冷媒の全体組成（液相＋気相）におけるＨＦＯ−１１２３の組成が、この範囲内にあることを許容される、最大値である。ｘ（質量％）は、１０≦ｘ≦９１．５の範囲内の数値である。前記「目標下限組成：（ｘ）−３質量％」は、供給先の容器・機器において求められる、ＨＦＯ−１１２３／ＨＦＣ−３２混合冷媒の全体組成（液相＋気相）におけるＨＦＯ−１１２３の組成が、この範囲内にあることを許容される、最小値である。
【００９５】
（２−１）目標上限組成と目標下限組成との差が３質量％である場合の充填方法
容器への混合冷媒の充填量が適宜調節される場合の、本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ（最小値）〜ｘ質量％（最大値）にすることを特徴とする。
【００９６】
ａ：供給用容器における初期充填量（質量％）
ｘ：目標上限組成である（質量％、１０≦ｘ≦９１．５、ただしｙＱ＞０となる範囲を除く）。
【００９７】
ｙＱ：初期組成における目標上限組成とのずれの下限値で、次の式（７）で表される値である。
【００９８】
【数１１】
2017126446.tif 000012
本発明の混合冷媒の充填方法によれば、供給用容器の混合冷媒の充填量が最大充填量の１００質量％であっても、移充填する前の、供給用容器内のＨＦＯ−１１２３の液相混合比を特定の範囲に設定することで、供給先の容器及び機器内での組成変化を、移充填が完了するまで、目標上限組成（ｘ）−３．０質量％（目標下限組成）から目標上限組成（ｘ）の範囲に収める事ができる。
【００９９】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。
【０１００】
また、前記ａの値は、通常６０≦ａ≦１００の範囲に設定される。
【０１０１】
以下、移充填方法は、一例として移充填時の取扱い温度が４０℃のときを示す。例えば日本の高圧ガス保安法においては、４０℃以上での容器の取り扱いを禁じていることから、特に日本における移充填時の取扱い温度は０〜４０℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度４０℃時のときの移充填の条件を応用することで、取扱い温度０〜４０℃についても適用可能である。
【０１０２】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がａ質量％である充填方法を満たす数式は、初期充填量がａ質量％以下である充填方法においても満たされる。例えば、初期充填量が１００質量％である充填方法を満たす数式は、初期充填量が１００〜０質量％である充填方法においても満たされる。初期充填量が９０質量％である充填方法を満たす数式は、初期充填量が９０〜０質量％である充填方法においても満たされる。初期充填量が８０質量％である充填方法を満たす数式は、初期充填量が８０〜０質量％である充填方法においても満たされる。初期充填量が７０質量％である充填方法を満たす数式は、初期充填量が７０〜０質量％である充填方法においても満たされる。初期充填量が６０質量％である充填方法を満たす数式は、初期充填量が６０〜０質量％である充填方法においても満たされる。
【０１０３】
供給用容器内の混合冷媒中のＨＦＯ−１１２３の液相混合比
本発明は、ＨＦＯ−１１２３の目標上限組成（ｘ）−３．０質量％（目標下限組成）から目標上限組成（ｘ）の範囲に収めるため、移充填直前の、供給用容器内の混合冷媒のＨＦＯ−１１２３の液相混合比（初期組成）を、ｘ＋ｙＱ（最小値）〜ｘ％（目標上限組成）にすることが特徴である。
【０１０４】
ｘは目標上限組成であり、ｙＱは初期組成における目標上限組成（ｘ）とのずれを示す。ｘ＋ｙＱは、供給用容器内の混合冷媒のＨＦＯ−１１２３の液相混合比（初期組成）の最小値を示す。
【０１０５】
前記目標上限組成と目標下限組成との差は公差（Ｃｏｍｐｏｓｉｔｉｏｎ  Ｔｏｌｅｒａｎｃｅｓ）と呼ばれる。公差は、混合冷媒の組成がＡＳＨＲＡＥ規格２０１３に登録された際に決まるものである。
【０１０６】
ＨＦＯ−１１２３及びＨＦＣ−３２を含む混合冷媒において、ＨＦＯ−１１２３とＨＦＣ−３２との混合比が、例えば５０：５０（質量％）である場合を説明する。この混合冷媒（ＨＦＯ−１１２３／ＨＦＣ−３２）において、公差が例えば＋１．５、−１．５／＋１．５、−１．５と設定された場合、ＨＦＯ−１１２３の目標上限組成は５１．５質量％となり、ＨＦＯ−１１２３の目標下限組成は４８．５質量％となる。目標上限組成と目標下限組成との差が３質量％という混合冷媒になる。
【０１０７】
（２−２）容器への混合冷媒の充填量が最大充填量の１００質量％の場合の充填方法
容器への混合冷媒の充填量が最大充填量の１００質量％であって、供給用容器内の前記混合冷媒中のＨＦＯ−１１２３の液相混合比を、目標上限組成（ｘ）−３．０質量％（目標下限組成）から目標上限組成（ｘ）の範囲に収めるときを説明する。
【０１０８】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器に最大充填量の１００質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ１〜ｘ質量％にすることが好ましい。
【０１０９】
前記ｘは、目標上限組成である（但し、１０≦ｘ≦９１．５を満たす）。
【０１１０】
ｙＱ１は、初期組成における目標上限組成とのずれの下限値で、次の式（８）で表される値である。
【０１１１】
【数１２】
2017126446.tif 000013
本発明は、上記式（８）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−２．８質量％程度〜ｘ質量％にすることで、供給先の容器及び機器内での組成変化を、移充填が完了するまで、目標上限組成（ｘ）−３．０質量％（目標下限組成）から目標上限組成（ｘ）の範囲に収める事ができる。
【０１１２】
なお、ＨＦＣ−３２とＨＦＯ−１２３４ｚｅ（Ｅ）との混合冷媒のように、沸点の温度差が３０Ｋ以上あると、必ずしも１０≦ｘ≦９１．５の範囲の総てで上記（８）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１．５の総ての範囲で上記（８）式を満たすことができる。
【０１１３】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−３．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１１４】
また、ＨＦＯ−１１２３が９１．５質量％含まれる場合、組成変化が小さいことから、ＨＦＯ−１１２３の初期組成が、目標上限組成に対して、−２．８質量％程度であったとしても、移充填が完了するまで、ＨＦＯ−１１２３の液相混合比を目標上限組成（ｘ）−３．０質量％（目標下限組成）から目標上限組成（ｘ）の範囲に収めることができる。
【０１１５】
（２−３）容器への混合冷媒の充填量が最大充填量の９０質量％の場合の充填方法
容器への混合冷媒の充填量が最大充填量の９０質量％であって、供給用容器内の前記混合冷媒中のＨＦＯ−１１２３の液相混合比を、目標上限組成（ｘ）−３．０質量％（目標下限組成）から目標上限組成（ｘ）の範囲に収めるときを説明する。
【０１１６】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器に最大充填量の９０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ２〜ｘ質量％にすることが好ましい。
【０１１７】
前記ｘは、目標上限組成である（但し、１０≦ｘ≦９１．５を満たす）。
【０１１８】
ｙＱ２は、初期組成における目標上限組成とのずれの下限値で、次の式（９）で表される値である。
【０１１９】
【数１３】
2017126446.tif 000014
本発明は、上記式（９）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−２．８質量％程度〜ｘ質量％にすることで、供給先の容器及び機器内での組成変化を、移充填が完了するまで、目標上限組成（ｘ）−３．０質量％（目標下限組成）から目標上限組成（ｘ）の範囲に収める事ができる。
なお、ＨＦＣ−３２とＨＦＯ−１２３４ｚｅ（Ｅ）との混合冷媒のように、沸点の温度差が３０Ｋ以上あると、必ずしも１０≦ｘ≦９１．５の範囲の総てで上記（９）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１．５の総ての範囲で上記（９）式を満たすことができる。
【０１２０】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−３．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１２１】
また、ＨＦＯ−１１２３が９１．５質量％含まれる場合、組成変化が小さいことから、ＨＦＯ−１１２３の初期組成が、目標上限組成に対して、−２．８質量％程度であったとしても、移充填が完了するまで、ＨＦＯ−１１２３の液相混合比を目標上限組成（ｘ）−３．０質量％（目標下限組成）から目標上限組成（ｘ）の範囲に収めることができる。
【０１２２】
（２−４）容器への混合冷媒の充填量が最大充填量の８０質量％の場合の充填方法
容器への混合冷媒の充填量が最大充填量の８０質量％であって、供給用容器内の前記混合冷媒中のＨＦＯ−１１２３の液相混合比を、目標上限組成（ｘ）−３．０質量％（目標下限組成）から目標上限組成（ｘ）の範囲に収めるときを説明する。
【０１２３】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器に最大充填量の８０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ３〜ｘ質量％にすることが好ましい。
【０１２４】
前記ｘは、目標上限組成である（但し、１０≦ｘ≦９１．５を満たす）。
【０１２５】
ｙＱ３は、初期組成における目標上限組成とのずれの下限値で、次の式（１０）で表される値である。
【０１２６】
【数１４】
2017126446.tif 000015
本発明は、上記式（１０）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−２．８質量％程度〜ｘ質量％にすることで、供給先の容器及び機器内での組成変化を、移充填が完了するまで、目標上限組成（ｘ）−３．０質量％（目標下限組成）から目標上限組成（ｘ）の範囲に収める事ができる。
なお、ＨＦＣ−３２とＨＦＯ−１２３４ｚｅ（Ｅ）との混合冷媒のように、沸点の温度差が３０Ｋ以上あると、必ずしも１０≦ｘ≦９１．５の範囲の総てで上記（１０）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１．５の総ての範囲で上記（１０）式を満たすことができる。
【０１２７】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−３．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１２８】
また、ＨＦＯ−１１２３が９１．５質量％含まれる場合、組成変化が小さいことから、ＨＦＯ−１１２３の初期組成が、目標上限組成に対して、−２．８質量％程度であったとしても、移充填が完了するまで、ＨＦＯ−１１２３の液相混合比を目標上限組成（ｘ）−３．０質量％（目標下限組成）から目標上限組成（ｘ）の範囲に収めることができる。
【０１２９】
（２−５）容器への混合冷媒の充填量が最大充填量の７０質量％の場合の充填方法
容器への混合冷媒の充填量が最大充填量の７０質量％であって、供給用容器内の前記混合冷媒中のＨＦＯ−１１２３の液相混合比を、目標上限組成（ｘ）−３．０質量％（目標下限組成）から目標上限組成（ｘ）の範囲に収めるときを説明する。
【０１３０】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器に最大充填量の７０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ４〜ｘ質量％にすることが好ましい。
【０１３１】
前記ｘは、目標上限組成である（但し、１０≦ｘ≦９１．５を満たす）。
【０１３２】
ｙＱ４は、初期組成における目標上限組成とのずれの下限値で、次の式（１１）で表される値である。
【０１３３】
【数１５】
2017126446.tif 000016
本発明は、上記式（１１）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−２．８質量％程度〜ｘ質量％にすることで、供給先の容器及び機器内での組成変化を、移充填が完了するまで、目標上限組成（ｘ）−３．０質量％（目標下限組成）から目標上限組成（ｘ）の範囲に収める事ができる。
【０１３４】
なお、ＨＦＣ−３２とＨＦＯ−１２３４ｚｅ（Ｅ）との混合冷媒のように、沸点の温度差が３０Ｋ以上あると、必ずしも１０≦ｘ≦９１．５の範囲の総てで上記（１１）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１．５の総ての範囲で上記（１１）式を満たすことができる。
【０１３５】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−３．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１３６】
また、ＨＦＯ−１１２３が９１．５質量％含まれる場合、組成変化が小さいことから、ＨＦＯ−１１２３の初期組成が、目標上限組成に対して、−２．８質量％程度であったとしても、移充填が完了するまで、ＨＦＯ−１１２３の液相混合比を目標上限組成（ｘ）−３．０質量％（目標下限組成）から目標上限組成（ｘ）の範囲に収めることができる。
【０１３７】
（２−６）容器への混合冷媒の充填量が最大充填量の６０質量％の場合の充填方法
容器への混合冷媒の充填量が最大充填量の６０質量％であって、供給用容器内の前記混合冷媒中のＨＦＯ−１１２３の液相混合比を、目標上限組成（ｘ）−３．０質量％（目標下限組成）から目標上限組成（ｘ）の範囲に収めるときを説明する。
【０１３８】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器に最大充填量の６０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ５〜ｘ質量％にすることが好ましい。
【０１３９】
前記ｘは、目標上限組成である（但し、１０≦ｘ≦９１．５を満たす）。
【０１４０】
ｙＱ５は、初期組成における目標上限組成とのずれの下限値で、次の式（１２）で表される値である。
【０１４１】
【数１６】
2017126446.tif 000017
本発明は、上記式（１２）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−２．８質量％程度〜ｘ質量％にすることで、供給先の容器及び機器内での組成変化を、移充填が完了するまで、目標上限組成（ｘ）−３．０質量％（目標下限組成）から目標上限組成（ｘ）の範囲に収める事ができる。
なお、ＨＦＣ−３２とＨＦＯ−１２３４ｚｅ（Ｅ）との混合冷媒のように、沸点の温度差が３０Ｋ以上あると、必ずしも１０≦ｘ≦９１．５の範囲の総てで上記（１２）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１．５の総ての範囲で上記（１２）式を満たすことができる。
【０１４２】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−３．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１４３】
また、ＨＦＯ−１１２３が９１．５質量％含まれる場合、組成変化が小さいことから、ＨＦＯ−１１２３の初期組成が、目標上限組成に対して、−２．８質量％程度であったとしても、移充填が完了するまで、ＨＦＯ−１１２３の液相混合比を目標上限組成（ｘ）−３．０質量％（目標下限組成）から目標上限組成（ｘ）の範囲に収めることができる。
【０１４４】
（２−７）ＨＦＯ−１１２３及びＨＦＣ−３２を含む非共沸混合冷媒の充填方法
ＨＦＯ−１１２３及びＨＦＣ−３２からなる非共沸混合冷媒の、ＨＦＯ−１１２３の目標上限組成（ｘ）−３．０質量％（目標下限組成）から目標上限組成（ｘ）の範囲に収める充填方法について説明する。
【０１４５】
上記式（７）は、上記式（８）〜（１２）から導き出すことができる。上記式（８）〜（１２）の各係数の値を基に、目標上限組成（ｘ）から、初期充填量（ａ質量％）に対して式（７）のＬＱ〜ＰＱを導き出すことができる。
【０１４６】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１．５質量％の量で存在する混合冷媒を、供給用容器より供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−３．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＱ（最小値）〜ｘ（最大値）質量％にすることを特徴とする。
【０１４７】
ａ：供給用容器における初期充填量（質量％）
ｘ：目標上限組成である（質量％、１０≦ｘ≦９１．５ただしｙＱ＞０となる範囲を除く）。
【０１４８】
ｙＱ：初期組成における目標上限組成とのずれの下限値で、次の式（７）で表される値である。
【０１４９】
【数１７】
2017126446.tif 000018
（３）目標上限組成と目標下限組成の差が２質量％である場合の充填方法
供給用容器より供給先の容器及び機器へ混合冷媒を移充填する時に、移充填開始から完了までの、供給用容器内の混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるための、移充填する前の供給用容器内の混合冷媒の混合比について説明する。
【０１５０】
前記「目標上限組成：（ｘ）」は、供給先の容器・機器において求められる、ＨＦＯ−１１２３／ＨＦＣ−３２混合冷媒の全体組成（液相＋気相）におけるＨＦＯ−１１２３の組成が、この範囲内にあることを許容される、最大値である。ｘ（質量％）は、１０≦ｘ≦９１の範囲内の数値である。前記「目標下限組成：（ｘ）−２質量％」は、供給先の容器・機器において求められる、ＨＦＯ−１１２３／ＨＦＣ−３２混合冷媒の全体組成（液相＋気相）におけるＨＦＯ−１１２３の組成が、この範囲内にあることを許容される、最小値である。
【０１５１】
（３−１）目標上限組成と目標下限組成の差が２質量％である場合の充填方法
容器への混合冷媒の充填量が適宜調節される場合の、本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１質量％の量で存在する混合冷媒を、供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ（最小値）〜ｘ質量％（最大値）にすることを特徴とする。
【０１５２】
ａ：供給用容器における初期充填量（質量％）
ｘ：目標上限組成である（質量％、１０≦ｘ≦９１、ただしｙＲ＞０なる範囲を除く）。
【０１５３】
ｙＲ：初期組成における目標上限組成とのずれの下限値で、次の式（１３）で表される値である。
【０１５４】
【数１８】
2017126446.tif 000019
本発明の混合冷媒の充填方法によれば、供給用容器の混合冷媒の充填量が最大充填量の１００質量％であっても、移充填する前の、供給用容器内のＨＦＯ−１１２３の液相混合比を特定の範囲に設定することで、供給先の容器及び機器内での組成変化を、移充填が完了するまで、目標上限組成（ｘ）−２．０質量％（目標下限組成）から目標上限組成（ｘ）の範囲に収める事ができる。
【０１５５】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。
【０１５６】
また、前記ａの値は、通常６０≦ａ≦１００の範囲に設定される。
【０１５７】
以下、移充填方法は、一例として移充填時の取扱い温度が４０℃のときを示す。例えば日本の高圧ガス保安法においては、４０℃以上での容器の取り扱いを禁じていることから、特に日本における移充填時の取扱い温度は０〜４０℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度４０℃時のときの移充填の条件を応用することで、取扱い温度０〜４０℃についても適用可能である。
【０１５８】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がａ質量％である充填方法を満たす数式は、初期充填量がａ質量％以下である充填方法においても満たされる。例えば、初期充填量が１００質量％である充填方法を満たす数式は、初期充填量が１００〜０質量％である充填方法においても満たされる。初期充填量が９０質量％である充填方法を満たす数式は、初期充填量が９０〜０質量％である充填方法においても満たされる。初期充填量が８０質量％である充填方法を満たす数式は、初期充填量が８０〜０質量％である充填方法においても満たされる。初期充填量が７０質量％である充填方法を満たす数式は、初期充填量が７０〜０質量％である充填方法においても満たされる。初期充填量が６０質量％である充填方法を満たす数式は、初期充填量が６０〜０質量％である充填方法においても満たされる。
【０１５９】
供給用容器内の混合冷媒中のＨＦＯ−１１２３の液相混合比
本発明は、ＨＦＯ−１１２３の目標上限組成（ｘ）−２．０質量％（目標下限組成）から目標上限組成（ｘ）の範囲に収めるため、移充填直前の、供給用容器内の混合冷媒のＨＦＯ−１１２３の液相混合比（初期組成）を、ｘ＋ｙＲ（最小値）〜ｘ％（目標上限組成）にすることが特徴である。
【０１６０】
ｘは目標上限組成であり、ｙＲは初期組成における目標上限組成（ｘ）とのずれを示す。ｘ＋ｙＲは、供給用容器内の混合冷媒のＨＦＯ−１１２３の液相混合比（初期組成）の最小値を示す。
【０１６１】
前記目標上限組成と目標下限組成との差は公差（Ｃｏｍｐｏｓｉｔｉｏｎ  Ｔｏｌｅｒａｎｃｅｓ）と呼ばれる。公差は、混合冷媒の組成がＡＳＨＲＡＥ規格２０１３に登録された際に決まるものである。
【０１６２】
ＨＦＯ−１１２３及びＨＦＣ−３２を含む混合冷媒において、ＨＦＯ−１１２３とＨＦＣ−３２との混合比が、例えば５０：５０（質量％）である場合を説明する。この混合冷媒（ＨＦＯ−１１２３／ＨＦＣ−３２）において、公差が例えば＋１．０、−１．０／＋１．０、−１．０と設定された場合、ＨＦＯ−１１２３の目標上限組成は５１．０質量％となり、ＨＦＯ−１１２３の目標下限組成は４９．０質量％となる。目標上限組成と目標下限組成との差が２質量％という混合冷媒になる。
【０１６３】
（３−２）容器への混合冷媒の充填量が最大充填量の１００質量％の場合の充填方法
容器への混合冷媒の充填量が最大充填量の１００質量％であって、供給用容器内の前記混合冷媒中のＨＦＯ−１１２３の液相混合比を、目標上限組成（ｘ）−２．０質量％（目標下限組成）から目標上限組成（ｘ）の範囲に収めるときを説明する。
【０１６４】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１質量％の量で存在する混合冷媒を、供給用容器に最大充填量の１００質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ１〜ｘ質量％にすることが好ましい。
【０１６５】
前記ｘは、目標上限組成である（但し、１０≦ｘ≦９１を満たす）。
【０１６６】
ｙＲ１は、初期組成における目標上限組成とのずれの下限値で、次の式（１４）で表される値である。
【０１６７】
【数１９】
2017126446.tif 000020
本発明は、上記式（１４）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−１．９質量％程度〜ｘ質量％にすることで、供給先の容器及び機器内での組成変化を、移充填が完了するまで、目標上限組成（ｘ）−２．０質量％（目標下限組成）から目標上限組成（ｘ）の範囲に収める事ができる。
【０１６８】
なお、ＨＦＣ−３２とＨＦＯ−１２３４ｚｅ（Ｅ）との混合冷媒のように、沸点の温度差が３０Ｋ以上あると、必ずしも１０≦ｘ≦９１の範囲の総てで上記（１４）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１の総ての範囲で上記（１４）式を満たすことができる。
【０１６９】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−２．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１７０】
また、ＨＦＯ−１１２３が９１質量％含まれる場合、組成変化が小さいことから、ＨＦＯ−１１２３の初期組成が、目標上限組成に対して、−１．９質量％程度であったとしても、移充填が完了するまで、ＨＦＯ−１１２３の液相混合比を目標上限組成（ｘ）−２．０質量％（目標下限組成）から目標上限組成（ｘ）の範囲に収めることができる。
【０１７１】
（３−３）容器への混合冷媒の充填量が最大充填量の９０質量％の場合の充填方法
容器への混合冷媒の充填量が最大充填量の９０質量％であって、供給用容器内の前記混合冷媒中のＨＦＯ−１１２３の液相混合比を、目標上限組成（ｘ）−２．０質量％（目標下限組成）から目標上限組成（ｘ）の範囲に収めるときを説明する。
【０１７２】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９２質量％の量で存在する混合冷媒を、供給用容器に最大充填量の９０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ２〜ｘ質量％にすることが好ましい。
【０１７３】
前記ｘは、目標上限組成である（但し、１０≦ｘ≦９１を満たす）。
【０１７４】
ｙＲ２は、初期組成における目標上限組成とのずれの下限値で、次の式（１５）で表される値である。
【０１７５】
【数２０】
2017126446.tif 000021
本発明は、上記式（１５）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−１．８質量％程度〜ｘ質量％にすることで、供給先の容器及び機器内での組成変化を、移充填が完了するまで、目標上限組成（ｘ）−２．０質量％（目標下限組成）から目標上限組成（ｘ）の範囲に収める事ができる。
なお、ＨＦＣ−３２とＨＦＯ−１２３４ｚｅ（Ｅ）との混合冷媒のように、沸点の温度差が３０Ｋ以上あると、必ずしも１０≦ｘ≦９１の範囲の総てで上記（１５）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１の総ての範囲で上記（１５）式を満たすことができる。
【０１７６】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−２．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１７７】
また、ＨＦＯ−１１２３が９１質量％含まれる場合、組成変化が小さいことから、ＨＦＯ−１１２３の初期組成が、目標上限組成に対して、−１．８質量％程度であったとしても、移充填が完了するまで、ＨＦＯ−１１２３の液相混合比を目標上限組成（ｘ）−２．０質量％（目標下限組成）から目標上限組成（ｘ）の範囲に収めることができる。
【０１７８】
（３−４）容器への混合冷媒の充填量が最大充填量の８０質量％の場合の充填方法
容器への混合冷媒の充填量が最大充填量の８０質量％であって、供給用容器内の前記混合冷媒中のＨＦＯ−１１２３の液相混合比を、目標上限組成（ｘ）−２．０質量％（目標下限組成）から目標上限組成（ｘ）の範囲に収めるときを説明する。
【０１７９】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１質量％の量で存在する混合冷媒を、供給用容器に最大充填量の８０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ３〜ｘ質量％にすることが好ましい。
【０１８０】
前記ｘは、目標上限組成である（但し、１０≦ｘ≦９１を満たす）。
【０１８１】
ｙＲ３は、初期組成における目標上限組成とのずれの下限値で、次の式（１６）で表される値である。
【０１８２】
【数２１】
2017126446.tif 000022
本発明は、上記式（１６）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−１．８質量％程度〜ｘ質量％にすることで、供給先の容器及び機器内での組成変化を、移充填が完了するまで、目標上限組成（ｘ）−２．０質量％（目標下限組成）から目標上限組成（ｘ）の範囲に収める事ができる。
【０１８３】
なお、ＨＦＣ−３２とＨＦＯ−１２３４ｚｅ（Ｅ）との混合冷媒のように、沸点の温度差が３０Ｋ以上あると、必ずしも１０≦ｘ≦９１の範囲の総てで上記（１６）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１の総ての範囲で上記（１６）式を満たすことができる。
【０１８４】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−２．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１８５】
また、ＨＦＯ−１１２３が９１質量％含まれる場合、組成変化が小さいことから、ＨＦＯ−１１２３の初期組成が、目標上限組成に対して、−１．８質量％程度であったとしても、移充填が完了するまで、ＨＦＯ−１１２３の液相混合比を目標上限組成（ｘ）−２．０質量％（目標下限組成）から目標上限組成（ｘ）の範囲に収めることができる。
【０１８６】
（３−５）容器への混合冷媒の充填量が最大充填量の７０質量％の場合の充填方法
容器への混合冷媒の充填量が最大充填量の７０質量％であって、供給用容器内の前記混合冷媒中のＨＦＯ−１１２３の液相混合比を、目標上限組成（ｘ）−２．０質量％（目標下限組成）から目標上限組成（ｘ）の範囲に収めるときを説明する。
【０１８７】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１質量％の量で存在する混合冷媒を、供給用容器に最大充填量の７０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ４〜ｘ質量％にすることが好ましい。
【０１８８】
前記ｘは、目標上限組成である（但し、１０≦ｘ≦９１を満たす）。
【０１８９】
ｙＲ４は、初期組成における目標上限組成とのずれの下限値で、次の式（１７）で表される値である。
【０１９０】
【数２２】
2017126446.tif 000023
本発明は、上記式（１７）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−１．８質量％程度〜ｘ質量％にすることで、供給先の容器及び機器内での組成変化を、移充填が完了するまで、目標上限組成（ｘ）−２．０質量％（目標下限組成）から目標上限組成（ｘ）の範囲に収める事ができる。
【０１９１】
なお、ＨＦＣ−３２とＨＦＯ−１２３４ｚｅ（Ｅ）との混合冷媒のように、沸点の温度差が３０Ｋ以上あると、必ずしも１０≦ｘ≦９１の範囲の総てで上記（１７）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１の総ての範囲で上記（１７）式を満たすことができる。
【０１９２】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−２．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０１９３】
また、ＨＦＯ−１１２３が９２質量％含まれる場合、組成変化が小さいことから、ＨＦＯ−１１２３の初期組成が、目標上限組成に対して、−１．８質量％程度であったとしても、移充填が完了するまで、ＨＦＯ−１１２３の液相混合比を目標上限組成（ｘ）−２．０質量％（目標下限組成）から目標上限組成（ｘ）の範囲に収めることができる。
【０１９４】
（３−６）容器への混合冷媒の充填量が最大充填量の６０質量％の場合の充填方法
容器への混合冷媒の充填量が最大充填量の６０質量％であって、供給用容器内の前記混合冷媒中のＨＦＯ−１１２３の液相混合比を、目標上限組成（ｘ）−２．０質量％（目標下限組成）から目標上限組成（ｘ）の範囲に収めるときを説明する。
【０１９５】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１質量％の量で存在する混合冷媒を、供給用容器に最大充填量の６０質量％以下の量で充填されている供給用容器より、供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ５〜ｘ質量％にすることが好ましい。
【０１９６】
前記ｘは、目標上限組成である（但し、１０≦ｘ≦９１を満たす）。
【０１９７】
ｙＲ５は、初期組成における目標上限組成とのずれの下限値で、次の式（１８）で表される値である。
【０１９８】
【数２３】
2017126446.tif 000024
本発明は、上記式（１８）から、ＨＦＯ−１１２３／ＨＦＣ−３２混合冷媒を、供給用容器より供給先の容器及び機器へ移充填する際に、移充填する前の供給用容器内のＨＦＯ−１１２３の液相混合比を、ｘ−１．８質量％程度〜ｘ質量％にすることで、供給先の容器及び機器内での組成変化を、移充填が完了するまで、目標上限組成（ｘ）−２．０質量％（目標下限組成）から目標上限組成（ｘ）の範囲に収める事ができる。
【０１９９】
なお、ＨＦＣ−３２とＨＦＯ−１２３４ｚｅ（Ｅ）との混合冷媒のように、沸点の温度差が３０Ｋ以上あると、必ずしも１０≦ｘ≦９１の範囲の総てで上記（１８）を満たせる訳ではないが、本発明の実施形態に係る混合冷媒の充填方法では、ＨＦＯ−１１２３とＨＦＣ−３２との沸点が５Ｋ程度で近いので、１０≦ｘ≦９１の総ての範囲で上記（１８）式を満たすことができる。
【０２００】
ＨＦＯ−１１２３の沸点がＨＦＣ−３２に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することから、ＨＦＯ−１１２３を移充填前の供給用容器において目標組成より多く充填することが好ましい。そして、供給先の容器及び機器内でのＨＦＯ−１１２３／ＨＦＣ−３２混合冷媒の組成変化を、移充填が完了するまで、目標上限組成（ｘ）−２．０質量％（目標下限組成）から目標上限組成（ｘ）の範囲に収める混合冷媒の充填方法では、ＨＦＯ−１１２３／ＨＦＣ−３２混合冷媒中のＨＦＯ−１１２３の液相混合比の上限値は、ＨＦＯ−１１２３の目標上限組成である。
【０２０１】
また、ＨＦＯ−１１２３が９２質量％含まれる場合、組成変化が小さいことから、ＨＦＯ−１１２３の初期組成が、目標上限組成に対して、−１．８質量％程度であったとしても、移充填が完了するまで、ＨＦＯ−１１２３の液相混合比を目標上限組成（ｘ）−２．０質量％（目標下限組成）から目標上限組成（ｘ）の範囲に収めることができる。
【０２０２】
（３−７）ＨＦＯ−１１２３及びＨＦＣ−３２を含む非共沸混合冷媒の充填方法
ＨＦＯ−１１２３及びＨＦＣ−３２からなる非共沸混合冷媒の、ＨＦＯ−１１２３の目標上限組成（ｘ）−２．０質量％（目標下限組成）から目標上限組成（ｘ）の範囲に収める充填方法について説明する。
【０２０３】
上記式（１３）は、上記式（１４）〜（１８）から導き出すことができる。上記式（１４）〜（１８）の各係数の値を基に、目標上限組成（ｘ）から、初期充填量（ａ質量％）に対して式（１３）のＬＲ〜ＰＲを導き出すことができる。
【０２０４】
本発明の混合冷媒の充填方法は、ＨＦＯ−１１２３及びＨＦＣ−３２を含み、ＨＦＯ−１１２３及びＨＦＣ−３２の合計１００質量％に対し液相においてＨＦＯ−１１２３が１０〜９１質量％の量で存在する混合冷媒を、供給用容器より供給先の容器及び機器へ液で移充填する際に、移充填開始から完了までの、前記供給用容器内の前記混合冷媒中のＨＦＯ−１１２３の液相混合比を、ＨＦＯ−１１２３の目標上限組成（ｘ）−２．０質量％（目標下限組成）から目標上限組成（ｘ）の範囲に収めるため、移充填直前の、前記供給用容器内の前記混合冷媒のＨＦＯ−１１２３の液相混合比（初期組成）を、ｘ＋ｙＲ（最小値）〜ｘ（最大値）質量％にすることを特徴とする。
【０２０５】
ａ：供給用容器における初期充填量（質量％）
ｘ：目標上限組成である（質量％、１０≦ｘ≦９１、ただしｙＲ＞０となる範囲を除く）。
【０２０６】
ｙＲ：初期組成における目標上限組成とのずれの下限値で、次の式（１３）で表される値である。
【０２０７】
【数２４】
2017126446.tif 000025
（４）第３成分の添加について
本発明は、特にＨＦＯ−１１２３／ＨＦＣ−３２混合冷媒のうちＨＦＯ−１１２３：１０〜９２質量％からなる混合組成物を対象としているが、ＨＦＯ−１１２３／ＨＦＣ−３２混合冷媒の組成変動挙動を大きく損なわない範囲において非共沸化合物を、冷凍機油との相溶性向上、燃焼性抑制、ＧＷＰ低減、冷凍能力向上などＨＦＯ−１１２３／ＨＦＣ−３２混合冷媒の特性改良の目的でそれらを添加しても良く、添加量としては１〜５０質量％程度が望ましい。非共沸化合物としては特に限定されるものではないが、ＨＦＣ−１２５、ＨＦＣ−１５２ａ、ＨＦＣ−１４３ａ等のＨＦＣ、２，３，３，３−テトラフルオロエチレン（ＨＦＯ−１２３４ｙｆ）、ＨＦＯ−１２４３ｚｆ、ＨＦＯ−１２２５ｙｅ等のＨＦＯ、イソブタン、ブタン、プロパン、ＣＯ２等が例として挙げられ、その化合物の１種又は２種以上を混合しても良い。
【０２０８】
本発明の供給側容器は、冷媒混合物を貯蔵できる密閉容器であれば特に制限はなく、例えばボンベやローリー、貯槽などが挙げられる。供給側容器の容量が小さく１回の抜き出し量が大きい場合は組成変動の影響を受け易い。
【０２０９】
またこの方法は、供給側容器の初期充填量が最大充填量の６０〜１００質量％であれば、移充填完了まで何回に分けて移充填を行っても良く、また液相を全て移充填せずに途中で移充填を中断したとしても成り立つ。
【０２１０】
また、冷媒混合物が移充填される機器としては、蒸気圧縮式冷凍サイクルを利用した装置であればよく、該装置としては、特に制限はなく、例えば冷凍空調機器、冷蔵庫及び給湯機器等が挙げられる。
【０２１１】
本発明の方法により製造される蒸気圧縮式冷凍装置は、冷媒と冷凍装置本体からなり、冷凍装置本体については特に制限はなく、公知の冷凍装置本体がそのまま用いられる。
【０２１２】
移充填の手段は常法に従えば良く、例えば、圧力差を利用するもの、ポンプ等を用いるものがある。
【０２１３】
また、例えば日本の高圧ガス保安法においては、４０℃以上での容器の取り扱いを禁じていることから、移充填時の取扱い温度は基本的に０〜４０℃である。また、国際法等でも高温での取扱いを避けることが求められている。そして、移充填時（取扱い時）の温度が高いほど、移充填による組成変化が大きくなるので、取扱い温度４０℃時における移充填の条件を応用することで、取扱い温度０〜４０℃についても適用可能である。
【実施例】
【０２１４】
以下、本発明の実施形態に係る混合冷媒の充填方法を実施した実施例に従って説明するが、本発明の要旨を逸脱しない限り、この実施例のみに限定されるものではない。【０２１５】
まず、実施例の比較対象となる参考例について説明する。【０２１６】
（１）参考例１
１０Ｌの密閉容器に、トリフルオロエチレン（ＨＦＯ−１１２３）及びジフルオロメタン（ＨＦＣ−３２）を４０℃で液相がある一定の組成になるように、移充填する直前の組成で充填できる最大充填量を充填し、４０℃に保持した。この、最大充填可能量は法で定められており、以下のように算出する。
・Ｇ＝Ｖ／Ｃ
・Ｇ：フルオロカーボンの質量（ｋｇ）
・Ｖ：容器の内容積（Ｌ）
・Ｃ：フルオロカーボンの種類による定数
この際の充填定数Ｃは日本国内では、１．０５を４８℃における当該ガスの比重で除した値と定められている。【０２１７】
また、この充填定数Ｃは、輸出を伴う際は国際法により、熱帯地方を通過する際は、１．０５を６５℃における当該ガスの比重で除した値、熱帯以外のその他の地方のみでは、１．０５を４５℃における当該ガスの比重で除した値と定められている。【０２１８】
今回は、１．０５を４５℃又は６５℃における当該ガスの比重で除した値、を充填定数として採用した。【０２１９】
また、移充填時の温度として４０℃を選択したのは、日本の高圧ガス保安法において、４０℃を超えての容器の取り扱いを禁じていることと、また、国際法等でも高温での取扱いを避けることが求められていること、高温になるほど組成変化が大きくなることから、４０℃でのデータが最も条件の悪いケースとして想定されるからである。【０２２０】
次に、ポンプを使用して液側より徐々に別の空容器に移充填した。液側の抜き出し配管の途中に設けたサンプリングバルブよりガスを一部採取し、成分組成をガスクロマトグラフィーにより分析した。【０２２１】
表１に、１．０５を４５℃における当該ガスの比重で除した値を充填定数として算出した充填量に充填した場合の、移充填時における参考例１の組成変化の結果を示す。【０２２２】
【表１】
2017126446.tif 000026
表１から、移充填完了時（液消失時）のＨＦＯ−１１２３／ＨＦＣ−３２混合冷媒中のＨＦＯ−１１２３の濃度は、移充填開始時よりも低いことが分かった。これは、ＨＦＯ−１１２３の沸点がＨＦＣ−３２の沸点に比べて低く、移充填時、冷媒が抜き出されて出来た空間に、液相側から蒸発して補充される際に、ＨＦＯ−１１２３の方が多く蒸発するため、液相のＨＦＯ−１１２３濃度が低下することが理由である。そのため、ＨＦＯ−１１２３の移充填を実施する前の供給用容器において目標組成より多く充填することが好ましいことがわかった。【０２２３】
表１から、ある目標組成があり、それを含む上下の組成幅を２〜４に設定した際、何の措置も取らずその組成幅内のある組成を初期組成として、移充填を始めた場合、移充填完了時（液消失時）の組成が、目標下限組成以下になってしまう可能性がある。そのため、目標組成で見込んでいた冷凍能力、ＣＯＰ等の冷媒能力が、移充開始時から移充完了時までの間で保証できない。【０２２４】
そこで、ある目標組成とそれを含む目標上限組成と目標下限を設定した際、どの組成範囲に初期組成を設定すれば、移充填開始から移充填完了時までの組成を全て目標下限〜上限組成内に収めることが出来るかを明らかにした。【０２２５】
（２）目標上限組成と目標下限組成の差が４質量％である場合の充填方法
（２−１）実施例１：供給用容器における初期充填量が最大充填量の１００質量％である
１０Ｌの密閉容器に、ＨＦＣ−３２及びＨＦＯ−１１２３を４０℃で液相がある一定の組成になるように、移充填する前の組成で充填できる最大充填量（充填量１００質量％）を充填し、４０℃に保持した。この際、移充填前のＨＦＯ−１１２３の液相における初期組成を、目標上限組成になるように調整した。次に、参考例１と同様に、ポンプを使用して液側より徐々に別の空容器に移充填し、成分組成を分析した。表２に、目標上限組成に調製した場合の移充填時における組成変化の結果を示す。【０２２６】
【表２】
2017126446.tif 000027
表２で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９２質量％の範囲であれば、目標上限組成−４．０質量％（目標下限組成）から目標上限組成の範囲に収める事が出来る。【０２２７】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＰ１）を表３に示す。【０２２８】
【表３】
2017126446.tif 000028
この結果より、ＨＦＯ−１１２３が９２質量％の目標組成において最も組成変動が小さく、ＨＦＯ−１１２３／ＨＦＣ−３２の液相混合冷媒中のＨＦＯ−１１２３の初期組成を目標組成の−３．８質量％であっても、移充填する前から移充填が完了するまで、目標上限組成−４．０質量％（目標下限組成）から目標上限組成の範囲に収める事が出来る。【０２２９】
また、この結果より初期組成における目標上限組成とのずれの下限値（ｙＰ１）は、目標組成（ｘ）を用いて以下の式で表すことができる。【０２３０】
【数２５】
2017126446.tif 000029
上記表１より、目標組成を目標下限〜上限のどこに設定すればよいか、提起した。上記表３を基に、下限値（ｙＰ１）を設定することにより、いずれの目標上限組成であっても、移充填開始から移充填完了時までの組成を全て目標下限〜上限組成内に収めることが出来る。【０２３１】
よって、ＨＦＯ−１１２３／ＨＦＣ−３２の液相混合冷媒中のＨＦＯ−１１２３の初期組成を目標上限組成＋ｙＰ１〜目標上限組成にすることで、移充填する前から移充填が完了するまで、目標上限組成−４．０質量％（目標下限組成）から目標上限組成の範囲に収める事が出来る。【０２３２】
（２−２）実施例２：供給用容器における初期充填量が最大充填量の９０質量％である
１０Ｌの密閉容器に、ＨＦＣ−３２及びＨＦＯ−１１２３を４０℃で液相がある一定の組成になるように、移充填する前の組成で充填できる最大充填量の９０質量％を充填し、４０℃に保持した。この際、移充填前のＨＦＯ−１１２３の液相における初期組成を、目標上限組成になるように調整した。次に、実施例１と同様に、ポンプを使用して液側より徐々に別の空容器に移充填し、成分組成を分析した。表４に、目標上限組成に調製した場合の移充填時における組成変化の結果を示す。【０２３３】
【表４】
2017126446.tif 000030
表４で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９２質量％の範囲であれば、目標上限組成−４．０質量％（目標下限組成）から目標上限組成の範囲に収める事が出来る。【０２３４】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＰ２）を表５に示す。【０２３５】
【表５】
2017126446.tif 000031
この結果より、ＨＦＯ−１１２３が９２質量％の目標上限組成において最も組成変動が小さく、ＨＦＯ−１１２３／ＨＦＣ−３２の液相混合冷媒中のＨＦＯ−１１２３の初期組成を目標上限組成の−３．８質量％であっても、移充填する前から移充填が完了するまで、目標上限組成−４．０質量％（目標下限組成）から目標上限組成の範囲に収める事が出来る。【０２３６】
また、この結果より初期組成における目標上限組成とのずれの下限値（ｙＰ２）は、目標上限組成（ｘ）を用いて以下の式で表すことができる。【０２３７】
【数２６】
2017126446.tif 000032
上記表５を基に、下限値（ｙＰ２）を設定することにより、いずれの目標上限組成であっても、移充填開始から移充填完了時までの組成を全て目標下限〜上限組成内に収めることが出来る。【０２３８】
よって、ＨＦＯ−１１２３／ＨＦＣ−３２の液相混合冷媒中のＨＦＯ−１１２３の初期組成を目標上限組成＋ｙＰ２〜目標上限組成にすることで、移充填する前から移充填が完了するまで、目標上限組成−４．０質量％（目標下限組成）から目標上限組成の範囲に収める事が出来る。【０２３９】
（２−３）実施例３：供給用容器における初期充填量が最大充填量の８０質量％である
１０Ｌの密閉容器に、ＨＦＣ−３２及びＨＦＯ−１１２３を４０℃で液相がある一定の組成になるように、移充填する前の組成で充填できる最大充填量の８０質量％を充填し、４０℃に保持した。この際、移充填前のＨＦＯ−１１２３の液相における初期組成を、目標上限組成になるように調整した。次に、実施例１と同様に、ポンプを使用して液側より徐々に別の空容器に移充填し、成分組成を分析した。表６に、目標上限組成に調製した場合の移充填時における組成変化の結果を示す。【０２４０】
【表６】
2017126446.tif 000033
表６で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９２質量％の範囲であれば、目標上限組成−４．０質量％（目標下限組成）から目標上限組成の範囲に収める事が出来る。【０２４１】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＰ３）を表７に示す。【０２４２】
【表７】
2017126446.tif 000034
この結果より、ＨＦＯ−１１２３が９２質量％の目標上限組成において最も組成変動が小さく、ＨＦＯ−１１２３／ＨＦＣ−３２の液相混合冷媒中のＨＦＯ−１１２３の初期組成を目標上限組成の−３．８質量％であっても、移充填する前から移充填が完了するまで、目標上限組成−４．０質量％（目標下限組成）から目標上限組成の範囲に収める事が出来る。【０２４３】
また、この結果より初期組成における目標上限組成とのずれの下限値（ｙＰ３）は、目標上限組成（ｘ）を用いて以下の式（４）で表すことができる。【０２４４】
【数２７】
2017126446.tif 000035
上記表７を基に、下限値（ｙＰ３）を設定することにより、いずれの目標上限組成であっても、移充填開始から移充填完了時までの組成を全て目標下限〜上限組成内に収めることが出来る。【０２４５】
よって、ＨＦＯ−１１２３／ＨＦＣ−３２の液相混合冷媒中のＨＦＯ−１１２３の初期組成を目標上限組成＋ｙＰ３〜目標上限組成にすることで、移充填する前から移充填が完了するまで、目標上限組成−４．０質量％（目標下限組成）から目標上限組成の範囲に収める事が出来る。【０２４６】
（２−４）実施例４：供給用容器における初期充填量が最大充填量の７０質量％である
１０Ｌの密閉容器に、ＨＦＣ−３２及びＨＦＯ−１１２３を４０℃で液相がある一定の組成になるように、移充填する前の組成で充填できる最大充填量の７０質量％を充填し、４０℃に保持した。この際、移充填前のＨＦＯ−１１２３の液相における初期組成を、目標上限組成になるように調整した。次に、実施例１と同様に、ポンプを使用して液側より徐々に別の空容器に移充填し、成分組成を分析した。表８に、目標上限組成に調製した場合の移充填時における組成変化の結果を示す。【０２４７】
【表８】
2017126446.tif 000036
表８で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９２質量％の範囲であれば、目標上限組成−４．０質量％（目標下限組成）から目標上限組成の範囲に収める事が出来る。【０２４８】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＰ４）を表９に示す。【０２４９】
【表９】
2017126446.tif 000037
この結果より、ＨＦＯ−１１２３が９２質量％の目標上限組成において最も組成変動が小さく、ＨＦＯ−１１２３／ＨＦＣ−３２の液相混合冷媒中のＨＦＯ−１１２３の初期組成を目標上限組成の−３．８質量％であっても、移充填する前から移充填が完了するまで、目標上限組成−４．０質量％（目標下限組成）から目標上限組成の範囲に収める事が出来る。【０２５０】
また、この結果より初期組成における目標上限組成とのずれの下限値（ｙＰ４）は、目標上限組成（ｘ）を用いて以下の式（５）で表すことができる。【０２５１】
【数２８】
2017126446.tif 000038
上記表９を基に、下限値（ｙＰ４）を設定することにより、いずれの目標上限組成であっても、移充填開始から移充填完了時までの組成を全て目標下限〜上限組成内に収めることが出来る。【０２５２】
よって、ＨＦＯ−１１２３／ＨＦＣ−３２の液相混合冷媒中のＨＦＯ−１１２３の初期組成を目標上限組成＋ｙＰ４〜目標上限組成にすることで、移充填する前から移充填が完了するまで、目標上限組成−４．０質量％（目標下限組成）から目標上限組成の範囲に収める事が出来る。【０２５３】
（２−５）実施例５：供給用容器における初期充填量が最大充填量の６０質量％である
１０Ｌの密閉容器に、ＨＦＣ−３２及びＨＦＯ−１１２３を４０℃で液相がある一定の組成になるように、移充填する前の組成で充填できる最大充填量の６０質量％を充填し、４０℃に保持した。この際、移充填前のＨＦＯ−１１２３の液相における初期組成を、目標上限組成になるように調整した。次に、実施例１と同様に、ポンプを使用して液側より徐々に別の空容器に移充填し、成分組成を分析した。表１０に、目標上限組成に調製した場合の移充填時における組成変化の結果を示す。【０２５４】
【表１０】
2017126446.tif 000039
表１０で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９２質量％の範囲であれば、目標上限組成−４．０質量％（目標下限組成）から目標上限組成の範囲に収める事が出来る。【０２５５】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＰ５）を表１１に示す。【０２５６】
【表１１】
2017126446.tif 000040
この結果より、ＨＦＯ−１１２３が９２質量％の目標上限組成において最も組成変動が小さく、ＨＦＯ−１１２３／ＨＦＣ−３２の液相混合冷媒中のＨＦＯ−１１２３の初期組成を目標上限組成の−３．８質量％であっても、移充填する前から移充填が完了するまで、目標上限組成−４．０質量％（目標下限組成）から目標上限組成の範囲に収める事が出来る。【０２５７】
また、この結果より初期組成における目標上限組成とのずれの下限値（ｙＰ５）は、目標上限組成（ｘ）を用いて以下の式で表すことができる。【０２５８】
【数２９】
2017126446.tif 000041
上記表１１を基に、下限値（ｙＰ５）を設定することにより、いずれの目標上限組成であっても、移充填開始から移充填完了時までの組成を全て目標下限〜上限組成内に収めることが出来る。【０２５９】
よって、ＨＦＯ−１１２３／ＨＦＣ−３２の液相混合冷媒中のＨＦＯ−１１２３の初期組成を目標上限組成＋ｙＰ５〜目標上限組成にすることで、移充填する前から移充填が完了するまで、目標上限組成−４．０質量％（目標下限組成）から目標上限組成の範囲に収める事が出来る。【０２６０】
（３）目標上限組成と目標下限組成の差が３質量％である場合の充填方法
（３−１）実施例６：供給用容器における初期充填量が最大充填量の１００質量％である
１０Ｌの密閉容器に、ＨＦＣ−３２及びＨＦＯ−１１２３を４０℃で液相がある一定の組成になるように、移充填する前の組成で充填できる最大充填量（充填量１００質量％）を充填し、４０℃に保持した。この際、移充填前のＨＦＯ−１１２３の液相における初期組成を、目標上限組成になるように調整した。次に、参考例１と同様に、ポンプを使用して液側より徐々に別の空容器に移充填し、成分組成を分析した。表１２に、目標上限組成に調製した場合の移充填時における組成変化の結果を示す。【０２６１】
【表１２】
2017126446.tif 000042
表１２で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９１．５質量％の範囲であれば、目標上限組成−３．０質量％（目標下限組成）から目標上限組成の範囲に収める事が出来る。【０２６２】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＱ１）を表１３に示す。【０２６３】
【表１３】
2017126446.tif 000043
この結果より、ＨＦＯ−１１２３が９１．５質量％の目標上限組成において最も組成変動が小さく、ＨＦＯ−１１２３／ＨＦＣ−３２の液相混合冷媒中のＨＦＯ−１１２３の初期組成を目標上限組成の−２．８質量％であっても、移充填する前から移充填が完了するまで、目標上限組成−３．０質量％（目標下限組成）から目標上限組成の範囲に収める事が出来る。【０２６４】
また、この結果より初期組成における目標上限組成とのずれの下限値（ｙＱ１）は、目標上限組成（ｘ）を用いて以下の式で表すことができる。【０２６５】
【数３０】
2017126446.tif 000044
上記表１３を基に、下限値（ｙＱ１）を設定することにより、いずれの目標上限組成であっても、移充填開始から移充填完了時までの組成を全て目標下限〜上限組成内に収めることが出来る。【０２６６】
よって、ＨＦＯ−１１２３／ＨＦＣ−３２の液相混合冷媒中のＨＦＯ−１１２３の初期組成を目標上限組成＋ｙＱ１〜目標上限組成にすることで、移充填する前から移充填が完了するまで、目標上限組成−３．０質量％（目標下限組成）から目標上限組成の範囲に収める事が出来る。【０２６７】
（３−２）実施例７：供給用容器における初期充填量が最大充填量の９０質量％である
１０Ｌの密閉容器に、ＨＦＣ−３２及びＨＦＯ−１１２３を４０℃で液相がある一定の組成になるように、移充填する前の組成で充填できる最大充填量の９０質量％を充填し、４０℃に保持した。この際、移充填前のＨＦＯ−１１２３の液相における初期組成を、目標上限組成になるように調整した。次に、実施例６と同様に、ポンプを使用して液側より徐々に別の空容器に移充填し、成分組成を分析した。表１４に、目標上限組成に調製した場合の移充填時における組成変化の結果を示す。【０２６８】
【表１４】
2017126446.tif 000045
表１４で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９１．５質量％の範囲であれば、目標上限組成−３．０質量％（目標下限組成）から目標上限組成の範囲に収める事が出来る。【０２６９】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＱ２）を表１５に示す。【０２７０】
【表１５】
2017126446.tif 000046
この結果より、ＨＦＯ−１１２３が９１．５質量％の目標上限組成において最も組成変動が小さく、ＨＦＯ−１１２３／ＨＦＣ−３２の液相混合冷媒中のＨＦＯ−１１２３の初期組成を目標上限組成の−２．８質量％であっても、移充填する前から移充填が完了するまで、目標上限組成−３．０質量％（目標下限組成）から目標上限組成の範囲に収める事が出来る。【０２７１】
また、この結果より初期組成における目標上限組成とのずれの下限値（ｙＱ２）は、目標上限組成（ｘ）を用いて以下の式で表すことができる。【０２７２】
【数３１】
2017126446.tif 000047
上記表１５を基に、下限値（ｙＱ２）を設定することにより、いずれの目標上限組成であっても、移充填開始から移充填完了時までの組成を全て目標下限〜上限組成内に収めることが出来る。【０２７３】
よって、ＨＦＯ−１１２３／ＨＦＣ−３２の液相混合冷媒中のＨＦＯ−１１２３の初期組成を目標上限組成＋ｙＱ２〜目標上限組成にすることで、移充填する前から移充填が完了するまで、目標上限組成−３．０質量％（目標下限組成）から目標上限組成の範囲に収める事が出来る。【０２７４】
（３−３）実施例８：供給用容器における初期充填量が最大充填量の８０質量％である
１０Ｌの密閉容器に、ＨＦＣ−３２及びＨＦＯ−１１２３を４０℃で液相がある一定の組成になるように、移充填する前の組成で充填できる最大充填量の８０質量％を充填し、４０℃に保持した。この際、移充填前のＨＦＯ−１１２３の液相における初期組成を、目標上限組成になるように調整した。次に、実施例６と同様に、ポンプを使用して液側より徐々に別の空容器に移充填し、成分組成を分析した。表１６に、目標上限組成に調製した場合の移充填時における組成変化の結果を示す。【０２７５】
【表１６】
2017126446.tif 000048
表１６で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９１．５質量％の範囲であれば、目標上限組成−３．０質量％（目標下限組成）から目標上限組成の範囲に収める事が出来る。【０２７６】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＱ３）を表１７に示す。【０２７７】
【表１７】
2017126446.tif 000049
この結果より、ＨＦＯ−１１２３が９１．５質量％の目標上限組成において最も組成変動が小さく、ＨＦＯ−１１２３／ＨＦＣ−３２の液相混合冷媒中のＨＦＯ−１１２３の初期組成を目標上限組成の−２．８質量％であっても、移充填する前から移充填が完了するまで、目標上限組成−３．０質量％（目標下限組成）から目標上限組成の範囲に収める事が出来る。【０２７８】
また、この結果より初期組成における目標上限組成とのずれの下限値（ｙＱ３）は、目標上限組成（ｘ）を用いて以下の式（１０）で表すことができる。【０２７９】
【数３２】
2017126446.tif 000050
上記表１７を基に、下限値（ｙＱ３）を設定することにより、いずれの目標上限組成であっても、移充填開始から移充填完了時までの組成を全て目標下限〜上限組成内に収めることが出来る。【０２８０】
よって、ＨＦＯ−１１２３／ＨＦＣ−３２の液相混合冷媒中のＨＦＯ−１１２３の初期組成を目標上限組成＋ｙＱ３〜目標上限組成にすることで、移充填する前から移充填が完了するまで、目標上限組成−３．０質量％（目標下限組成）から目標上限組成の範囲に収める事が出来る。【０２８１】
（３−４）実施例９：供給用容器における初期充填量が最大充填量の７０質量％である
１０Ｌの密閉容器に、ＨＦＣ−３２及びＨＦＯ−１１２３を４０℃で液相がある一定の組成になるように、移充填する前の組成で充填できる最大充填量の７０質量％を充填し、４０℃に保持した。この際、移充填前のＨＦＯ−１１２３の液相における初期組成を、目標上限組成になるように調整した。次に、実施例６と同様に、ポンプを使用して液側より徐々に別の空容器に移充填し、成分組成を分析した。表１８に、目標上限組成に調製した場合の移充填時における組成変化の結果を示す。【０２８２】
【表１８】
2017126446.tif 000051
表１８で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９１．５質量％の範囲であれば、目標上限組成−３．０質量％（目標下限組成）から目標上限組成の範囲に収める事が出来る。【０２８３】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＱ４）を表１９に示す。【０２８４】
【表１９】
2017126446.tif 000052
この結果より、ＨＦＯ−１１２３が９１．５質量％の目標上限組成において最も組成変動が小さく、ＨＦＯ−１１２３／ＨＦＣ−３２の液相混合冷媒中のＨＦＯ−１１２３の初期組成を目標上限組成の−２．８質量％であっても、移充填する前から移充填が完了するまで、目標上限組成−３．０質量％（目標下限組成）から目標上限組成の範囲に収める事が出来る。【０２８５】
また、この結果より初期組成における目標上限組成とのずれの下限値（ｙＱ４）は、目標上限組成（ｘ）を用いて以下の式（１１）で表すことができる。【０２８６】
【数３３】
2017126446.tif 000053
上記表１９を基に、下限値（ｙＱ４）を設定することにより、いずれの目標上限組成であっても、移充填開始から移充填完了時までの組成を全て目標下限〜上限組成内に収めることが出来る。【０２８７】
よって、ＨＦＯ−１１２３／ＨＦＣ−３２の液相混合冷媒中のＨＦＯ−１１２３の初期組成を目標上限組成＋ｙＱ４〜目標上限組成にすることで、移充填する前から移充填が完了するまで、目標上限組成−３．０質量％（目標下限組成）から目標上限組成の範囲に収める事が出来る。【０２８８】
（３−５）実施例１０：供給用容器における初期充填量が最大充填量の６０質量％である
１０Ｌの密閉容器に、ＨＦＣ−３２及びＨＦＯ−１１２３を４０℃で液相がある一定の組成になるように、移充填する前の組成で充填できる最大充填量の６０質量％を充填し、４０℃に保持した。この際、移充填前のＨＦＯ−１１２３の液相における初期組成を、目標上限組成になるように調整した。次に、実施例６と同様に、ポンプを使用して液側より徐々に別の空容器に移充填し、成分組成を分析した。表２０に、目標上限組成に調製した場合の移充填時における組成変化の結果を示す。【０２８９】
【表２０】
2017126446.tif 000054
表２０で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９１．５質量％の範囲であれば、目標上限組成−３．０質量％（目標下限組成）から目標上限組成の範囲に収める事が出来る。【０２９０】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＱ５）を表２１に示す。【０２９１】
【表２１】
2017126446.tif 000055
この結果より、ＨＦＯ−１１２３が９１．５質量％の目標上限組成において最も組成変動が小さく、ＨＦＯ−１１２３／ＨＦＣ−３２の液相混合冷媒中のＨＦＯ−１１２３の初期組成を目標上限組成の−２．８質量％であっても、移充填する前から移充填が完了するまで、目標上限組成−３．０質量％（目標下限組成）から目標上限組成の範囲に収める事が出来る。【０２９２】
また、この結果より初期組成における目標上限組成とのずれの下限値（ｙＱ５）は、目標上限組成（ｘ）を用いて以下の式（１２）で表すことができる。【０２９３】
【数３４】
2017126446.tif 000056
上記表２１を基に、下限値（ｙＱ５）を設定することにより、いずれの目標上限組成であっても、移充填開始から移充填完了時までの組成を全て目標下限〜上限組成内に収めることが出来る。【０２９４】
よって、ＨＦＯ−１１２３／ＨＦＣ−３２の液相混合冷媒中のＨＦＯ−１１２３の初期組成を目標上限組成＋ｙＱ５〜目標上限組成にすることで、移充填する前から移充填が完了するまで、目標上限組成−３．０質量％（目標下限組成）から目標上限組成の範囲に収める事が出来る。【０２９５】
（４）目標上限組成と目標下限組成の差が２質量％である場合の充填方法
（４−１）実施例１１：供給用容器における初期充填量が最大充填量の１００質量％である
１０Ｌの密閉容器に、ＨＦＣ−３２及びＨＦＯ−１１２３を４０℃で液相がある一定の組成になるように、移充填する前の組成で充填できる最大充填量（充填量１００質量％）を充填し、４０℃に保持した。この際、移充填前のＨＦＯ−１１２３の液相における初期組成を、目標上限組成になるように調整した。次に、参考例１と同様に、ポンプを使用して液側より徐々に別の空容器に移充填し、成分組成を分析した。表２２に、目標上限組成に調製した場合の移充填時における組成変化の結果を示す。【０２９６】
【表２２】
2017126446.tif 000057
表２２で示す様に、移充填前の初期組成を、目標上限組成になるようにすることで、充填初め（移充填する前）から、液がなくなるまで（移充填が完了するまで）の組成のうち、そのＨＦＯ−１１２３組成がＨＦＯ−１１２３／ＨＦＣ−３２の液相混合冷媒中に１０〜９１質量％の範囲であれば、目標上限組成−２．０質量％（目標下限組成）から目標上限組成の範囲に収める事が出来る。【０２９７】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＲ１）を表２３に示す。【０２９８】
【表２３】
2017126446.tif 000058
この結果より、ＨＦＯ−１１２３が９１質量％の目標上限組成において最も組成変動が小さく、ＨＦＯ−１１２３／ＨＦＣ−３２の液相混合冷媒中のＨＦＯ−１１２３の初期組成を目標上限組成の−１．９質量％であっても、移充填する前から移充填が完了するまで、目標上限組成−２．０質量％（目標下限組成）から目標上限組成の範囲に収める事が出来る。【０２９９】
また、この結果より初期組成における目標上限組成とのずれの下限値（ｙＲ１）は、目標上限組成（ｘ）を用いて以下の式（１４）で表すことができる。【０３００】
【数３５】
2017126446.tif 000059
上記表２３を基に、下限値（ｙＲ１）を設定することにより、いずれの目標上限組成であっても、移充填開始から移充填完了時までの組成を全て目標下限〜上限組成内に収めることが出来る。【０３０１】
よって、ＨＦＯ−１１２３／ＨＦＣ−３２の液相混合冷媒中のＨＦＯ−１１２３の初期組成を目標上限組成＋ｙＲ１〜目標上限組成にすることで、移充填する前から移充填が完了するまで、目標上限組成−２．０質量％（目標下限組成）から目標上限組成の範囲に収める事が出来る。【０３０２】
（４−２）実施例１２：供給用容器における初期充填量が最大充填量の９０質量％である
１０Ｌの密閉容器に、ＨＦＣ−３２及びＨＦＯ−１１２３を４０℃で液相がある一定の組成になるように、移充填する前の組成で充填できる最大充填量の９０質量％を充填し、４０℃に保持した。この際、移充填前のＨＦＯ−１１２３の液相における初期組成を、目標上限組成になるように調整した。次に、実施例１１と同様に、ポンプを使用して液側より徐々に別の空容器に移充填し、成分組成を分析した。表２４に、目標上限組成に調製した場合の移充填時における組成変化の結果を示す。【０３０３】
【表２４】
2017126446.tif 000060
表２４で示す様に、移充填前の初期組成を、目標上限組成になるようにすることで、充填初め（移充填する前）から、液がなくなるまで（移充填が完了するまで）、そのＨＦＯ−１１２３組成がＨＦＯ−１１２３／ＨＦＣ−３２の液相混合冷媒中に１０〜９１質量％の範囲内のいずれであっても、目標上限組成−２．０質量％（目標下限組成）から目標上限組成の範囲に収める事が出来る。【０３０４】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＲ２）を表２５に示す。【０３０５】
【表２５】
2017126446.tif 000061
この結果より、ＨＦＯ−１１２３が９１質量％の目標上限組成において最も組成変動が小さく、ＨＦＯ−１１２３／ＨＦＣ−３２の液相混合冷媒中のＨＦＯ−１１２３の初期組成を目標上限組成の−１．８量％であっても、移充填する前から移充填が完了するまで、目標上限組成−２．０質量％（目標下限組成）から目標上限組成の範囲に収める事が出来る。【０３０６】
また、この結果より初期組成における目標上限組成とのずれの下限値（ｙＲ２）は、目標上限組成（ｘ）を用いて以下の式（１５）で表すことができる。【０３０７】
【数３６】
2017126446.tif 000062
上記表２５を基に、下限値（ｙＲ２）を設定することにより、いずれの目標上限組成であっても、移充填開始から移充填完了時までの組成を全て目標下限〜上限組成内に収めることが出来る。【０３０８】
よって、ＨＦＯ−１１２３／ＨＦＣ−３２の液相混合冷媒中のＨＦＯ−１１２３の初期組成を目標上限組成＋ｙＲ２〜目標上限組成にすることで、移充填する前から移充填が完了するまで、目標上限組成−２．０質量％（目標下限組成）から目標上限組成の範囲に収める事が出来る。【０３０９】
（４−３）実施例１３：供給用容器における初期充填量が最大充填量の８０質量％である
１０Ｌの密閉容器に、ＨＦＣ−３２及びＨＦＯ−１１２３を４０℃で液相がある一定の組成になるように、移充填する前の組成で充填できる最大充填量の８０質量％を充填し、４０℃に保持した。この際、移充填前のＨＦＯ−１１２３の液相における初期組成を、目標上限組成になるように調整した。次に、実施例１１と同様に、ポンプを使用して液側より徐々に別の空容器に移充填し、成分組成を分析した。表２６に、目標上限組成に調製した場合の移充填時における組成変化の結果を示す。【０３１０】
【表２６】
2017126446.tif 000063
表２６で示す様に、移充填前の初期組成を、目標上限組成になるようにすることで、充填初め（移充填する前）から、液がなくなるまで（移充填が完了するまで）、そのＨＦＯ−１１２３組成がＨＦＯ−１１２３／ＨＦＣ−３２の液相混合冷媒中に１０〜９１質量％の範囲内のいずれであっても、目標上限組成−２．０質量％（目標下限組成）から目標上限組成の範囲に収める事が出来る。【０３１１】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＲ３）を表２７に示す。【０３１２】
【表２７】
2017126446.tif 000064
この結果より、ＨＦＯ−１１２３が９１質量％の目標上限組成において最も組成変動が小さく、ＨＦＯ−１１２３／ＨＦＣ−３２の液相混合冷媒中のＨＦＯ−１１２３の初期組成を目標上限組成の−１．８質量％であっても、移充填する前から移充填が完了するまで、目標上限組成−２．０質量％（目標下限組成）から目標上限組成の範囲に収める事が出来る。【０３１３】
また、この結果より初期組成における目標上限組成とのずれの下限値（ｙＲ３）は、目標上限組成（ｘ）を用いて以下の式（１６）で表すことができる。【０３１４】
【数３７】
2017126446.tif 000065
上記表２７を基に、下限値（ｙＲ３）を設定することにより、いずれの目標上限組成であっても、移充填開始から移充填完了時までの組成を全て目標下限〜上限組成内に収めることが出来る。【０３１５】
よって、ＨＦＯ−１１２３／ＨＦＣ−３２の液相混合冷媒中のＨＦＯ−１１２３の初期組成を目標上限組成＋ｙＲ３〜目標上限組成にすることで、移充填する前から移充填が完了するまで、目標上限組成−２．０質量％（目標下限組成）から目標上限組成の範囲に収める事が出来る。【０３１６】
（４−４）実施例１４：供給用容器における初期充填量が最大充填量の７０質量％である
１０Ｌの密閉容器に、ＨＦＣ−３２及びＨＦＯ−１１２３を４０℃で液相がある一定の組成になるように、移充填する前の組成で充填できる最大充填量の７０質量％を充填し、４０℃に保持した。この際、移充填前のＨＦＯ−１１２３の液相における初期組成を、目標上限組成になるように調整した。次に、実施例１１と同様に、ポンプを使用して液側より徐々に別の空容器に移充填し、成分組成を分析した。表２８に、目標上限組成に調製した場合の移充填時における組成変化の結果を示す。【０３１７】
【表２８】
2017126446.tif 000066
表２８で示す様に、移充填前の初期組成を、目標上限組成になるようにすることで、充填初め（移充填する前）から、液がなくなるまで（移充填が完了するまで）、そのＨＦＯ−１１２３組成がＨＦＯ−１１２３／ＨＦＣ−３２の液相混合冷媒中に１０〜９１質量％の範囲内のいずれであっても、目標上限組成−２．０質量％（目標下限組成）から目標上限組成の範囲に収める事が出来る。【０３１８】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＲ４）を表２９に示す。【０３１９】
【表２９】
2017126446.tif 000067
この結果より、ＨＦＯ−１１２３が９１質量％の目標上限組成において最も組成変動が小さく、ＨＦＯ−１１２３／ＨＦＣ−３２の液相混合冷媒中のＨＦＯ−１１２３の初期組成を目標上限組成の−１．８質量％であっても、移充填する前から移充填が完了するまで、目標上限組成−２．０質量％（目標下限組成）から目標上限組成の範囲に収める事が出来る。【０３２０】
また、この結果より初期組成における目標上限組成とのずれの下限値（ｙＲ４）は、目標上限組成（ｘ）を用いて以下の式（１７）で表すことができる。【０３２１】
【数３８】
2017126446.tif 000068
上記表２９を基に、下限値（ｙＲ４）を設定することにより、いずれの目標上限組成であっても、移充填開始から移充填完了時までの組成を全て目標下限〜上限組成内に収めることが出来る。【０３２２】
よって、ＨＦＯ−１１２３／ＨＦＣ−３２の液相混合冷媒中のＨＦＯ−１１２３の初期組成を目標上限組成＋ｙＲ４〜目標上限組成にすることで、移充填する前から移充填が完了するまで、目標上限組成−２．０質量％（目標下限組成）から目標上限組成の範囲に収める事が出来る。【０３２３】
（４−５）実施例１５：供給用容器における初期充填量が最大充填量の６０質量％である
１０Ｌの密閉容器に、ＨＦＣ−３２及びＨＦＯ−１１２３を４０℃で液相がある一定の組成になるように、移充填する前の組成で充填できる最大充填量の６０質量％を充填し、４０℃に保持した。この際、移充填前のＨＦＯ−１１２３の液相における初期組成を、目標上限組成になるように調整した。次に、実施例１１と同様に、ポンプを使用して液側より徐々に別の空容器に移充填し、成分組成を分析した。表３０に、目標上限組成に調製した場合の移充填時における組成変化の結果を示す。【０３２４】
【表３０】
2017126446.tif 000069
表３０で示す様に、移充填前の初期組成を、目標上限組成になるようにすることで、充填初め（移充填する前）から、液がなくなるまで（移充填が完了するまで）、そのＨＦＯ−１１２３組成がＨＦＯ−１１２３／ＨＦＣ−３２の液相混合冷媒中に１０〜９１質量％の範囲内のいずれであっても、目標上限組成−２．０質量％（目標下限組成）から目標上限組成の範囲に収める事が出来る。【０３２５】
また、移充填が完了した時点でのＨＦＯ−１１２３組成が、目標下限組成になるような、ＨＦＯ−１１２３／ＨＦＣ−３２の液相混合冷媒中のＨＦＯ−１１２３の移充填前組成を求めた。この時の初期組成における目標上限組成とのずれの下限値（ｙＲ５）を表３１に示す。【０３２６】
【表３１】
2017126446.tif 000070
この結果より、ＨＦＯ−１１２３が９１質量％の目標上限組成において最も組成変動が小さく、ＨＦＯ−１１２３／ＨＦＣ−３２の液相混合冷媒中のＨＦＯ−１１２３の初期組成を目標上限組成の−１．８質量％であっても、移充填する前から移充填が完了するまで、目標上限組成−２．０質量％（目標下限組成）から目標上限組成の範囲に収める事が出来る。【０３２７】
また、この結果より初期組成における目標上限組成とのずれの下限値（ｙＲ５）は、目標上限組成（ｘ）を用いて以下の式（１８）で表すことができる。【０３２８】
【数３９】
2017126446.tif 000071
上記表３１を基に、下限値（ｙＲ５）を設定することにより、いずれの目標上限組成であっても、移充填開始から移充填完了時までの組成を全て目標下限〜上限組成内に収めることが出来る。【０３２９】
よって、ＨＦＯ−１１２３／ＨＦＣ−３２の液相混合冷媒中のＨＦＯ−１１２３の初期組成を目標上限組成＋ｙＲ５〜目標上限組成にすることで、移充填する前から移充填が完了するまで、目標上限組成−２．０質量％（目標下限組成）から目標上限組成の範囲に収める事が出来る。
（５）第３成分（ＨＦＯ−１２３４ｙｆ）の添加
（５−１）実施例１６：供給用容器における初期充填量が最大充填量の１００質量％である
１０Ｌの密閉容器に、ＨＦＣ−３２及びＨＦＯ−１１２３及びＨＦＯ−１２３４ｙｆを４０℃で液相がある一定の組成になるように、移充填する前の組成で充填できる最大充填量の１００質量％を充填し、４０℃に保持した。この際、移充填前の液相中のＨＦＯ−１１２３とＨＦＣ−３２の合計に対するＨＦＯ−１１２３の割合を割合（Ａ）になるように成分組成を調整した。【０３３０】
次に、参考例１と同様に、ポンプを使用して液側より徐々に別の空容器に移充填し、成分組成を分析した。表３２に移充填時における組成変化の結果を示す。分析結果から液消失時のＨＦＣ−３２及びＨＦＯ−１１２３及びＨＦＯ−１２３４ｙｆの成分のうち、ＨＦＣ−３２及びＨＦＯ−１１２３の合計に対するＨＦＯ−１１２３の割合（Ｂ）を求めた。【０３３１】
次に１０Ｌの密閉容器に、ＨＦＣ−３２及びＨＦＯ−１１２３を４０℃で液相がある一定の組成になるように、移充填する前の組成で充填できる最大充填量の１００質量％を充填し、４０℃に保持した。この際、移充填前の液相中のＨＦＯ−１１２３とＨＦＣ−３２の成分の合計に対するＨＦＯ−１１２３の割合を割合（Ａ）になるように成分組成を調整した。【０３３２】
次に、参考例１と同様に、ポンプを使用して液側より徐々に別の空容器に移充填し、成分組成を分析した。表３２に移充填時における組成変化の結果を示す。分析結果から液消失時のＨＦＣ−３２とＨＦＯ−１１２３との成分の合計に対するＨＦＯ−１１２３の割合（Ｃ）を求め、さらに、割合（Ｂ）と割合（Ｃ）の差を求めた。【０３３３】
【表３２】
2017126446.tif 000072
表３２の割合（Ｂ）と割合（Ｃ）の差からも分かるように、第３成分としてＨＦＯ−１２３４ｙｆが添加された場合のＨＦＯ−１１２３とＨＦＣ−３２との混合冷媒の組成変動は、ＨＦＯ−１１２３とＨＦＣ−３２とのみの混合冷媒の組成変動と同様であることが分かる。【０３３４】
（５−２）実施例１７：供給用容器における初期充填量が最大充填量の６０質量％である
１０Ｌの密閉容器に、ＨＦＣ−３２及びＨＦＯ−１１２３及びＨＦＯ−１２３４ｙｆを４０℃で液相がある一定の組成になるように、移充填する前の組成で充填できる最大充填量の６０質量％を充填し、４０℃に保持した。この際、移充填前の液相中のＨＦＯ−１１２３とＨＦＣ−３２との合計に対するＨＦＯ−１１２３の割合を割合（Ａ）になるように成分組成を調整した。【０３３５】
次に、参考例１と同様に、ポンプを使用して液側より徐々に別の空容器に移充填し、成分組成を分析した。表３３に移充填時における組成変化の結果を示す。分析結果から液消失時のＨＦＣ−３２及びＨＦＯ−１１２３及びＨＦＯ−１２３４ｙｆの成分のうち、ＨＦＣ−３２及びＨＦＯ−１１２３の合計に対するＨＦＯ−１１２３の割合（Ｂ）を求めた。【０３３６】
【表３３】
2017126446.tif 000073
次に１０Ｌの密閉容器に、ＨＦＣ−３２及びＨＦＯ−１１２３を４０℃で液相がある一定の組成になるように、移充填する前の組成で充填できる最大充填量の１００質量％を充填し、４０℃に保持した。この際、移充填前の液相中のＨＦＯ−１１２３とＨＦＣ−３２の成分の合計に対するＨＦＯ−１１２３の割合を割合（Ａ）になるように成分組成を調整した。【０３３７】
次に、参考例１と同様に、ポンプを使用して液側より徐々に別の空容器に移充填し、成分組成を分析した。表３２に移充填時における組成変化の結果を示す。分析結果から液消失時のＨＦＣ−３２とＨＦＯ−１１２３の成分の合計に対するＨＦＯ−１１２３の割合（Ｃ）を求め、割合（Ｂ）と割合（Ｃ）の差を求めた。【０３３８】
表３２からも分かるように、第３成分としてＨＦＯ−１２３４ｙｆが添加された場合のＨＦＯ−１１２３とＨＦＣ−３２の混合冷媒の組成変動は、ＨＦＯ−１１２３とＨＦＣ−３２とのみの混合冷媒の組成変動と同様であることが分かる。【０３３９】
（６）考察
上記実施例の結果から明らかなように、本発明の混合冷媒の充填方法により、移充填に伴う組成変化を何の対策も行わずに移充填した場合と比べ、移充填する前から、移充填が完了するまで、狙う組成に対してある一定の範囲内に収める事ができ、液相の全量使用を可能とする、非共沸混合冷媒の新しい充填方法を見出した。【０３４０】
本発明方法を実施することにより、蒸気圧縮式冷凍サイクル用作動媒体として使用される非共沸性のＨＦＣ−３２／ＨＦＯ−１１２３混合冷媒の移充填時に生じる組成変化を冷媒能力に支障をきたさない範囲内に収めることができ有意義である。【０３４１】
本発明を詳細にまた特定の実施態様を参照して説明したが、本発明の精神と範囲を逸脱することなく様々な変更や修正を加えることができることは当業者にとって明らかである。本出願は２０１６年１月１８日出願の日本特許出願（特願２０１６−７４３９）に基づくものであり、その内容はここに参照として取り込まれる。
【国際調査報告】
2017126446.tif 000077
2017126446.tif 000078
2017126446.tif 000079
2017126446.tif 000080